(57)【特許請求の範囲】
【請求項１】
ネットワーク要素選択方法であって、
第１の通信システムにおける第１のネットワーク要素が、端末デバイスからの第１のメッセージを受信する段階であって、前記第１のメッセージは、セッションの確立を要求するために用いられる、受信する段階と、
前記第１のメッセージに応答して、前記第１の通信システムにおける前記第１のネットワーク要素が、前記端末デバイスの性能及び前記端末デバイスのサブスクリプション情報に基づいて、ターゲットセッション管理機能ネットワーク要素を決定する段階とを備え、前記サブスクリプション情報は、前記セッションに対応するデータネットワーク識別情報が第２の通信システムとの相互運用をサポートするか否かを示し、
前記データネットワーク識別情報が前記第２の通信システムとの相互運用をサポートしないことを前記サブスクリプション情報が示す場合、前記ターゲットセッション管理機能ネットワーク要素を決定する段階は、前記第１のネットワーク要素が、前記ターゲットセッション管理機能ネットワーク要素として、同じ場所に配置されたセッション管理機能ネットワーク要素を選択する段階をスキップする段階を含む、方法。
【請求項２】
前記第１の通信システムにおける前記第１のネットワーク要素はアクセス及びモビリティ管理機能ネットワーク要素（ＡＭＦ）であり、前記第１の通信システムにおける前記第１のネットワーク要素が、前記端末デバイスの性能及び前記端末デバイスの前記サブスクリプション情報に基づいて、ターゲットセッション管理機能ネットワーク要素を決定する前記段階は、
前記サブスクリプション情報が、前記セッションのデータネットワーク識別情報（ＤＮＮ）は４Ｇシステムとの相互運用をサポートしないことを示す場合、前記ＡＭＦが、前記ターゲットセッション管理機能ネットワーク要素として、同じ場所に配置されたセッション管理機能ネットワーク要素を選択する段階をスキップする段階であって、前記第１の通信システムは５Ｇシステムであり、前記第２の通信システムは４Ｇシステムである、スキップする段階を備える、請求項１に記載の方法。
【請求項３】
前記ＡＭＦが、前記ターゲットセッション管理機能ネットワーク要素として、同じ場所に配置されたセッション管理機能ネットワーク要素を選択する段階をスキップする前記段階は、前記ＡＭＦが、前記ターゲットセッション管理機能ネットワーク要素として、前記５Ｇシステムにおけるセッション管理機能ネットワーク要素を選択する段階を含む、請求項２に記載の方法。
【請求項４】
前記第１の通信システムにおける前記第１のネットワーク要素はモビリティ管理機能ネットワーク要素（ＭＭＥ）であり、前記第１の通信システムにおける前記第１のネットワーク要素が、前記端末デバイスの性能及び前記端末デバイスの前記サブスクリプション情報に基づいて、ターゲットセッション管理機能ネットワーク要素を決定する前記段階は、
前記サブスクリプション情報が、前記セッションのデータネットワーク識別情報（ＡＰＮ）は５Ｇシステムとの相互運用をサポートしないことを示す場合、前記ＭＭＥが、前記ターゲットセッション管理機能ネットワーク要素として、同じ場所に配置されたセッション管理機能ネットワーク要素を選択する段階をスキップする段階であって、前記第１の通信システムは４Ｇシステムであり、前記第２の通信システムは５Ｇシステムである、スキップする段階を含む、請求項１に記載の方法。
【請求項５】
前記ＭＭＥが、前記ターゲットセッション管理機能ネットワーク要素として、同じ場所に配置されたセッション管理機能ネットワーク要素を選択する段階をスキップする前記段階は、前記ＭＭＥが、前記ターゲットセッション管理機能ネットワーク要素として、前記４Ｇシステムにおけるセッション管理機能ネットワーク要素を選択する段階を含む、請求項４に記載の方法。
【請求項６】
前記第１の通信システムにおける前記第１のネットワーク要素が、前記ターゲットセッション管理機能ネットワーク要素に第２のメッセージを送信することで、前記ターゲットセッション管理機能ネットワーク要素が、前記第２のメッセージに基づいてポリシ制御ネットワーク要素及び課金システムを決定する、送信する段階
をさらに備える、請求項１から５のいずれか一項に記載の方法。
【請求項７】
第１の通信システムにおけるネットワーク要素選択装置であって、
端末デバイスからの第１のメッセージを受信するように構成されている受信ユニットであって、前記第１のメッセージは、セッションの確立を要求するために用いられる、受信ユニットと、
前記第１のメッセージに応答して、前記端末デバイスの性能及び前記端末デバイスのサブスクリプション情報に基づいて、ターゲットセッション管理機能ネットワーク要素を決定するように構成されている、処理ユニットとを備え、
前記サブスクリプション情報は、前記セッションに対応するデータネットワーク識別情報が第２の通信システムとの相互運用をサポートするか否かを示し、
前記データネットワーク識別情報が前記第２の通信システムとの相互運用をサポートしないことを前記サブスクリプション情報が示す場合、前記処理ユニットは、前記ターゲットセッション管理機能ネットワーク要素として、同じ場所に配置されたセッション管理機能ネットワーク要素を選択する段階をスキップするように構成されている、装置。
【請求項８】
前記処理ユニットは、前記サブスクリプション情報が、前記セッションのデータネットワーク識別情報（ＤＮＮ）は４Ｇシステムとの相互運用をサポートしないことを示す場合、前記ターゲットセッション管理機能ネットワーク要素として、同じ場所に配置されたセッション管理機能ネットワーク要素を選択する段階をスキップするように具体的に構成されており、前記第１の通信システムは５Ｇシステムであり、前記第２の通信システムは４Ｇシステムであり、前記ネットワーク要素選択装置は前記５Ｇシステムにおけるアクセス及びモビリティ管理機能ネットワーク要素（ＡＭＦ）である、請求項７に記載の装置。
【請求項９】
前記ターゲットセッション管理機能ネットワーク要素として、同じ場所に配置されたセッション管理機能ネットワーク要素を選択する段階をスキップする前記段階は、前記ターゲットセッション管理機能ネットワーク要素として、前記５Ｇシステムにおけるセッション管理機能ネットワーク要素を選択する段階を含む、請求項８に記載の装置。
【請求項１０】
前記処理ユニットは、前記サブスクリプション情報が、前記セッションのデータネットワーク識別情報（ＡＰＮ）は５Ｇシステムとの相互運用をサポートしないことを示す場合、前記ターゲットセッション管理機能ネットワーク要素として、同じ場所に配置されたセッション管理機能ネットワーク要素を、選択する段階をスキップするように具体的に構成されており、前記第１の通信システムは４Ｇシステムであり、前記第２の通信システムは５Ｇシステムであり、前記ネットワーク要素選択装置は、前記４Ｇシステムにおけるモビリティ管理機能ネットワーク要素（ＭＭＥ）である、請求項７に記載の装置。
【請求項１１】
前記ターゲットセッション管理機能ネットワーク要素として、同じ場所に配置されたセッション管理機能ネットワーク要素を選択する段階をスキップする前記段階は、前記ターゲットセッション管理機能ネットワーク要素として、前記４Ｇシステムにおけるセッション管理機能ネットワーク要素を選択する段階を含む、請求項１０に記載の装置。
【請求項１２】
前記ターゲットセッション管理機能ネットワーク要素に第２のメッセージを送信することで、前記ターゲットセッション管理機能ネットワーク要素が、前記第２のメッセージに基づいて、ポリシ制御ネットワーク要素及び課金システムを決定するように構成されている、送信ユニット
をさらに備える、請求項７から１１のいずれか一項に記載の装置。
【請求項１３】
コンピュータ上で実行される場合、前記コンピュータに、請求項１から６のいずれか一項に記載の方法を実行させる、コンピュータプログラム。
【発明の詳細な説明】
【技術分野】
【０００１】
本願は、無線通信技術の分野に関し、特に、ネットワーク要素選択方法及び装置に関する。
【背景技術】
【０００２】
通信技術が急速に発展するにつれ、第５世代（Ｆｉｆｔｈ  Ｇｅｎｅｒａｔｉｏｎ、５Ｇ）移動体通信技術が出現する。ネットワーク展開の初期段階で、５Ｇネットワークのカバレージが不十分なため、ユーザ機器（Ｕｓｅｒ  Ｅｑｕｉｐｍｅｎｔ、ＵＥ）の位置が変化する場合、ＵＥのセッションは、５Ｇネットワークと第４世代（Ｆｏｕｒｔｈ  Ｇｅｎｅｒａｔｉｏｎ、４Ｇ）ネットワークとの間でハンドオーバされる必要がある。
【０００３】
従来技術では、図１に示されるように、ＵＥが４Ｇシステムにアクセスする場合、モビリティ管理エンティティ（Ｍｏｂｉｌｉｔｙ  Ｍａｎａｇｅｍｅｎｔ  Ｅｎｔｉｔｙ、ＭＭＥ）が、ＵＥが４Ｇシステム及び５Ｇシステムをサポートすることができると決定する場合、ＭＭＥは、ＵＥが接続を確立するために、同じ場所に配置されたセッション管理機能ネットワーク要素を選択する。しかしながら、いくつかのシナリオでは、ＵＥは５Ｇネットワークのサービスを用いる必要がないか、又は５Ｇネットワークのサービスをサブスクライブしていない。言い換えれば、４Ｇシステム及び５ＧシステムをサポートするＵＥは、相互運用要件を有していない。従って、この場合、ＭＭＥは、同じ場所に配置されたセッション管理機能ネットワーク要素をＵＥのために選択する必要がない。
【０００４】
従って、上述した場合において、ネットワーク要素が不適切に選択されたこととなり、同じ場所に配置されたセッション管理機能ネットワーク要素の相対的に強い負荷が生じ得る。
【発明の概要】
【０００５】
本願の実施形態は、ネットワーク要素選択方法及び装置を提供し、その結果、４Ｇシステム及び５ＧシステムをサポートするＵＥであり相互運用要件を有していないＵＥがネットワーク要素を適切に選択できるようにする。
【０００６】
第１の態様によると、本願はネットワーク要素選択方法を提供し、当該方法は、第１の通信システムにおける第１のネットワーク要素が、端末デバイスにより送信された第１のメッセージを受信する段階であって、第１のメッセージは、セッションの確立を要求するために用いられる、受信する段階と、第１のメッセージに応答して、第１の通信システムにおける第１のネットワーク要素が、第１のサブスクリプション情報及び第２のサブスクリプション情報に基づいて、ターゲットセッション管理機能ネットワーク要素を決定する段階であって、第１のサブスクリプション情報は、第１の通信システムにおける端末デバイスのサブスクリプション情報を含み、第２のサブスクリプション情報は、第２の通信システムにおける端末デバイスのサブスクリプション情報を含む、決定する段階とを含む。
【０００７】
従って、第１の通信システムにおける第１のネットワーク要素は、第１のサブスクリプション情報及び第２のサブスクリプション情報に基づいて、ターゲットセッション管理機能ネットワーク要素として、適切なネットワーク要素を選択できる。従来技術では、端末デバイスが４Ｇシステム及び５Ｇシステムをサポートするかにのみ基づいてネットワーク要素を選択することに比較すると、４Ｇシステム及び５Ｇシステムをサポートし、相互運用要件を有していない端末デバイスが、ネットワーク要素を適切に選択することができ、同じ場所に配置されたセッション管理機能ネットワーク要素の負荷が減少し得る。
【０００８】
任意選択的に、第１のサブスクリプション情報は、第１の通信システムにおける端末デバイスの１又は複数のデータネットワーク識別情報に対応するサブスクリプション情報であってよい。第２のサブスクリプション情報も、第２の通信システムにおける端末デバイスの１又は複数のデータネットワーク識別情報に対応するサブスクリプション情報であってよい。あるいは、第１のサブスクリプション情報は、第１の通信システムにおいて、端末デバイスがデータネットワーク識別情報をサブスクライブしているかを示すインジケーション情報であってよく、第２のサブスクリプション情報は、第２の通信システムにおいても、端末デバイスがデータネットワーク識別情報をサブスクライブしているかを示すインジケーション情報であってよい。
【０００９】
可能な設計において、第１の通信システムにおける第１のネットワーク要素が、第１のサブスクリプション情報及び第２のサブスクリプション情報に基づいてターゲットセッション管理機能ネットワーク要素を決定する段階は具体的に、端末デバイスの性能、第１のサブスクリプション情報、及び第２のサブスクリプション情報に基づいて、ターゲットセッション管理機能ネットワーク要素を決定する段階を含んでよい。
【００１０】
従って、第１の通信システムにおける第１のネットワーク要素は、端末デバイスの性能、第１のサブスクリプション情報、及び第２のサブスクリプション情報を参照して、ターゲットセッション管理機能ネットワーク要素を決定してよい。
【００１１】
可能な設計において、第１の通信システムは４Ｇシステムであり、第２の通信システムは５Ｇシステムであり、第１の通信システムにおける第１のネットワーク要素はＭＭＥである。第１の通信システムにおける第１のネットワーク要素が、端末デバイスの性能、第１のサブスクリプション情報、及び第２のサブスクリプション情報に基づいて、ターゲットセッション管理機能ネットワーク要素を決定する場合、端末デバイスが第１の通信システム及び第２の通信システムをサポートし、第１のサブスクリプション情報及び第２のサブスクリプション情報の両方が、セッションのデータネットワーク識別情報に対応するサブスクリプション情報を含むならば、ＭＭＥは、ターゲットセッション管理ネットワーク要素として、同じ場所に配置されたセッション管理機能ネットワーク要素を選択する。５Ｇシステムのセッション管理性能及び４Ｇシステムのセッション管理性能を有するネットワーク要素は、同じ場所に配置されたセッション管理機能ネットワーク要素である。
【００１２】
従って、ＭＭＥは、同じ場所に配置されたセッション管理機能ネットワーク要素を、相互運用性能及び相互運用要件の両方を有する端末デバイスのためのターゲットセッション管理機能ネットワーク要素として選択してよい。
【００１３】
可能な設計において、第１の通信システムは４Ｇシステムであり、第２の通信システムは５Ｇシステムであり、第１の通信システムにおける第１のネットワーク要素はＭＭＥである。第１の通信システムにおける第１のネットワーク要素が、端末デバイスの性能、第１のサブスクリプション情報、及び第２のサブスクリプション情報に基づいて、ターゲットセッション管理機能ネットワーク要素を決定する場合、端末デバイスが第１の通信システム及び第２の通信システムをサポートし、第１のサブスクリプション情報が、セッションのデータネットワーク識別情報に対応するサブスクリプション情報を含み、第２のサブスクリプション情報が、セッションのデータネットワーク識別情報に対応するサブスクリプション情報を含まないならば、ＭＭＥは、ターゲットセッション管理ネットワーク要素として、４Ｇシステムにおけるセッション管理機能ネットワーク要素を選択する。
【００１４】
従って、ＭＭＥは、相互運用性能を有するが相互運用要件は有していない（すなわち、端末デバイスは５Ｇネットワークのサービスを用いる必要がないか、又は５Ｇネットワークのサービスをサブスクライブしていない）端末デバイスのためのターゲットセッション管理ネットワーク要素として、４Ｇシステムにおけるセッション管理機能ネットワーク要素を選択してよい。このように、セッション要件を満たすことができるので、同じ場所に配置されたセッション管理機能ネットワーク要素の負荷が減少させることができる。
【００１５】
可能な設計において、第１の通信システムは５Ｇシステムであり、第２の通信システムは４Ｇシステムであり、第１の通信システムにおける第１のネットワーク要素はＡＭＦである。第１の通信システムにおける第１のネットワーク要素が、端末デバイスの性能、第１のサブスクリプション情報、及び第２のサブスクリプション情報に基づいて、ターゲットセッション管理機能ネットワーク要素を決定する場合、端末デバイスが第１の通信システム及び第２の通信システムをサポートし、第１のサブスクリプション情報及び第２のサブスクリプション情報の両方が、セッションのデータネットワーク識別情報に対応するサブスクリプション情報を含むならば、ＡＭＦは、ターゲットセッション管理ネットワーク要素として、同じ場所に配置されたセッション管理機能ネットワーク要素を選択する。５Ｇシステムのセッション管理性能及び４Ｇシステムのセッション管理性能を有するネットワーク要素は、同じ場所に配置されたセッション管理機能ネットワーク要素である。
【００１６】
従って、ＡＭＦは、同じ場所に配置されたセッション管理機能ネットワーク要素を、相互運用性能及び相互運用要件の両方を有する端末デバイスのためのターゲットセッション管理機能ネットワーク要素として選択してよい。
【００１７】
可能な設計において、第１の通信システムは５Ｇシステムであり、第２の通信システムは４Ｇシステムであり、第１の通信システムにおける第１のネットワーク要素はＡＭＦである。第１の通信システムにおける第１のネットワーク要素が、端末デバイスの性能、第１のサブスクリプション情報、及び第２のサブスクリプション情報に基づいて、ターゲットセッション管理機能ネットワーク要素を決定する場合、端末デバイスが第１の通信システム及び第２の通信システムをサポートし、第１のサブスクリプション情報が、セッションのデータネットワーク識別情報に対応するサブスクリプション情報を含み、第２のサブスクリプション情報が、セッションのデータネットワーク識別情報に対応するサブスクリプション情報を含まないならば、ＡＭＦは、ターゲットセッション管理ネットワーク要素として、５Ｇシステムにおけるセッション管理機能ネットワーク要素を選択する。
【００１８】
従って、ＡＭＦは、相互運用性能を有するが相互運用要件は有していない（すなわち、端末デバイスは４Ｇネットワークのサービスを用いる必要がないか、又は４Ｇネットワークのサービスをサブスクライブしていない）端末デバイスのためのターゲットセッション管理ネットワーク要素として、５Ｇシステムにおけるセッション管理機能ネットワーク要素を選択してよい。このように、セッション要件を満たすことができるので、同じ場所に配置されたセッション管理機能ネットワーク要素の負荷が減少させることができる。
【００１９】
可能な設計において、当該方法は、第１の通信システムにおける第１のネットワーク要素が、ターゲットセッション管理機能ネットワーク要素に第２のメッセージを送信し、その結果、ターゲットセッション管理機能ネットワーク要素が、第２のメッセージに基づいて、ポリシ制御ネットワーク要素及び課金システムを決定する、送信する段階をさらに含む。
【００２０】
任意選択的に、第２のメッセージは、ターゲットセッション管理機能ネットワーク要素に、第１の通信システム内にある、同じ場所に配置されたポリシ制御ネットワーク要素及び同じ場所に配置された課金システム、又は、ポリシ制御ネットワーク要素及び課金システムを選択するように命令する、命令情報を含む。第１の通信システムは４Ｇシステムであり、第２の通信システムは５Ｇシステムであり、第１の通信システムにおける第１のネットワーク要素はＭＭＥである場合、ＭＭＥは、第２のメッセージを用いて、同じ場所に配置されたセッション管理機能ネットワーク要素に、相互運用性能は有するが相互運用要件は有していない端末デバイス（すなわち、端末デバイスは５Ｇネットワークのサービスを用いる必要がないか、又は５Ｇネットワークのサービスをサブスクライブしない）のために、４Ｇシステム内にあるポリシ制御ネットワーク要素及び課金システムを選択するように命令してよい。その結果、同じ場所に配置されたポリシ制御ネットワーク要素の負荷、及び同じ場所に配置された課金システムの負荷が減少し得る。第１の通信システムは５Ｇシステムであり、第２の通信システムは４Ｇシステムであり、第１の通信システムにおける第１のネットワーク要素はＡＭＦである場合、ＡＭＦは、第２のメッセージを用いて、同じ場所に配置されたセッション管理機能ネットワーク要素に、相互運用性能は有するが相互運用要件は有していない端末デバイス（すなわち、端末デバイスは４Ｇネットワークのサービスを用いる必要がないか、又は４Ｇネットワークのサービスをサブスクライブしない）のために、５Ｇシステム内にあるポリシ制御ネットワーク要素及び課金システムを選択するように命令してよい。その結果、同じ場所に配置されたポリシ制御ネットワーク要素の負荷、及び同じ場所に配置された課金システムの負荷が減少し得る。
【００２１】
第２の態様によると、本願は別のネットワーク要素選択方法を提供し、当該方法は、第１の通信システムにおける第１のネットワーク要素が、端末デバイスにより送信される第１のメッセージを受信する段階であって、第１のメッセージは、セッションの確立を要求するために用いられる、受信する段階と、第１のメッセージに応答して、第１の通信システムにおける第１のネットワーク要素が、端末デバイスの性能及び端末の第３のサブスクリプション情報に基づいて、ターゲットセッション管理機能ネットワーク要素を決定する段階とを含む。
【００２２】
従って、第１の通信システムにおける第１のネットワーク要素は、端末の第３のサブスクリプション情報に基づいて、ターゲットセッション管理機能ネットワーク要素として、適切なネットワーク要素を選択できる。従来技術では、端末デバイスが４Ｇシステム及び５Ｇシステムをサポートするかにのみ基づいてネットワーク要素を選択することに比較すると、４Ｇシステム及び５Ｇシステムをサポートし、相互運用要件を有していない端末デバイスが、ネットワーク要素を適切に選択することができ、同じ場所に配置されたセッション管理機能ネットワーク要素の負荷が減少し得る。
【００２３】
可能な設計において、第１の通信システムは４Ｇシステムであり、第２の通信システムは５Ｇシステムであり、第１の通信システムにおける第１のネットワーク要素はＭＭＥである。端末の第３のサブスクリプション情報は、セッションに対応するデータネットワーク識別情報ＡＰＮが、５Ｇシステム（または、５ＧＣと称される）との相互運用をサポートするかを示す、インジケーション情報であってよい。任意選択的に、セッションに対応するデータネットワーク識別情報ＡＰＮが５Ｇシステム（または５ＧＣと称される）との相互運用をサポートするかの表示することはさらに、端末の第３のサブスクリプション情報は、セッションに対応するデータネットワーク識別情報ＡＰＮが、ＤＮＮ及びネットワークスライス識別Ｓ‐ＮＳＳＡＩとの相互運用をサポートするかを示すインジケーション情報であることを含む。第１の通信システムにおける第１のネットワーク要素が、端末デバイスの性能及び端末の第３のサブスクリプション情報に基づいて、ターゲットセッション管理機能ネットワーク要素を決定することは、端末デバイスが第１の通信システム及び第２の通信システムをサポートし、端末の第３のサブスクリプション情報が、セッションに対応するデータネットワーク識別情報ＡＰＮは５Ｇシステムとの相互運用をサポートすることを示す場合、ＭＭＥが、ターゲットセッション管理ネットワーク要素として、同じ場所に配置されたセッション管理機能ネットワーク要素を選択する段階を含む。同じ場所に配置されたセッション管理機能ネットワーク要素は、４Ｇシステムのセッション管理性能、及び５Ｇシステムのセッション管理性能の両方を有するネットワーク要素、例えば、ＳＭＦ＋ＰＧＷ‐Ｃであってよい。従って、ＭＭＥは、同じ場所に配置されたセッション管理機能ネットワーク要素を、相互運用性能及び相互運用要件の両方を有する端末デバイスのためのターゲットセッション管理機能ネットワーク要素として選択してよい。
【００２４】
可能な設計において、第１の通信システムは４Ｇシステムであり、第２の通信システムは５Ｇシステムであり、第１の通信システムにおける第１のネットワーク要素はＭＭＥである。端末の第３のサブスクリプション情報は、セッションに対応するデータネットワーク識別情報ＡＰＮが、５Ｇシステム（または、５ＧＣと称される）との相互運用をサポートするかを示す、インジケーション情報であってよい。任意選択的に、セッションに対応するデータネットワーク識別情報ＡＰＮが５Ｇシステム（または５ＧＣと称される）との相互運用をサポートするかの表示することはさらに、端末の第３のサブスクリプション情報は、セッションに対応するデータネットワーク識別情報ＡＰＮが、ＤＮＮ及びネットワークスライス識別Ｓ‐ＮＳＳＡＩとの相互運用をサポートするかを示すインジケーション情報であることを含む。第１の通信システムにおける第１のネットワーク要素が、端末デバイスの性能及び端末の第３のサブスクリプション情報に基づいて、ターゲットセッション管理機能ネットワーク要素を決定することは、端末デバイスが第１の通信システム及び第２の通信システムをサポートし、第３のサブスクリプション情報が、セッションのデータネットワーク識別情報ＡＰＮは５Ｇシステムとの相互運用をサポートしないことを示す場合、ＭＭＥが、ターゲットセッション管理ネットワーク要素として、同じ場所に配置されたセッション管理機能ネットワーク要素を選択する段階をスキップする段階を含む。ＭＭＥが、同じ場所に配置されたセッション管理機能ネットワーク要素を、ターゲットセッション管理ネットワーク要素として選択する段階をスキップする段階は、ＭＭＥが、特に相互運用に用いられないセッション管理機能ネットワーク要素を、ターゲットセッション管理ネットワーク要素として選択する段階を含む。従って、ＭＭＥは、相互運用性能を有するが相互運用要件は有していない（すなわち、５Ｇとの相互運用をサポートしていないＡＰＮ）端末デバイスのために、ターゲットセッション管理ネットワーク要素として、４Ｇシステムにおけるセッション管理機能ネットワーク要素を選択してよい。このように、セッション要件を満たすことができるので、同じ場所に配置されたセッション管理機能ネットワーク要素の負荷が減少させることができる。
【００２５】
可能な設計において、第１の通信システムは５Ｇシステムであり、第２の通信システムは４Ｇシステムであり、第１の通信システムにおける第１のネットワーク要素はＡＭＦである。端末の第３のサブスクリプション情報は、セッションに対応するデータネットワーク識別情報ＤＮＮが、４Ｇシステム（または、ＥＰＳと称される）との相互運用をサポートするかを示す、インジケーション情報であってよい。任意選択的に、セッションに対応するデータネットワーク識別情報ＤＮＮが、４Ｇシステム（またはＥＰＳと称される）との相互運用をサポートするかを表示することはさらに、端末の第３のサブスクリプション情報は、データネットワーク識別情報ＤＮＮ及びネットワークスライス識別Ｓ‐ＮＳＳＡＩが、４Ｇ（またはＥＰＳと称される）とのセッションサポート相互運用に対応するかを示すインジケーション情報であることを含む。第１の通信システムにおける第１のネットワーク要素が、端末デバイスの性能及び端末の第３のサブスクリプション情報に基づいて、ターゲットセッション管理機能ネットワーク要素を決定することは、端末デバイスが第１の通信システム及び第２の通信システムをサポートし、端末の第３のサブスクリプション情報が、セッションに対応するデータネットワーク識別情報ＤＮＮは４Ｇシステム（またはＥＰＳと称される）との相互運用をサポートすることを示す場合、ＡＭＦが、ターゲットセッション管理ネットワーク要素として、同じ場所に配置されたセッション管理機能ネットワーク要素を選択する段階を含む。同じ場所に配置されたセッション管理機能ネットワーク要素は、５Ｇシステムのセッション管理性能、及び４Ｇシステムのセッション管理性能、例えば、ＳＭＦ＋ＰＧＷ‐Ｃの両方を有するネットワーク要素であってよい。従って、ＡＭＦは、同じ場所に配置されたセッション管理機能ネットワーク要素を、相互運用性能及び相互運用要件の両方を有する端末デバイスのためのターゲットセッション管理機能ネットワーク要素として選択してよい。
【００２６】
可能な設計において、第１の通信システムは５Ｇシステムであり、第２の通信システムは４Ｇシステムであり、第１の通信システムにおける第１のネットワーク要素はＡＭＦである。端末の第３のサブスクリプション情報は、セッションに対応するデータネットワーク識別情報ＤＮＮが、４Ｇシステム（または、ＥＰＳと称される）との相互運用をサポートするかを示す、インジケーション情報であってよい。任意選択的に、セッションに対応するデータネットワーク識別情報ＤＮＮが、４Ｇシステム（またはＥＰＳと称される）との相互運用をサポートするかを表示することはさらに、端末の第３のサブスクリプション情報は、データネットワーク識別情報ＤＮＮ及びネットワークスライス識別Ｓ‐ＮＳＳＡＩが、４Ｇ（またはＥＰＳと称される）とのセッションサポート相互運用に対応するかを示すインジケーション情報であることを含む。第１の通信システムにおける第１のネットワーク要素が、端末デバイスの性能及び端末の第３のサブスクリプション情報に基づいて、ターゲットセッション管理機能ネットワーク要素を決定することは、端末デバイスが第１の通信システム及び第２の通信システムをサポートし、第３のサブスクリプション情報が、セッションのデータネットワーク識別情報ＤＮＮは４Ｇシステムとの相互運用をサポートしないことを示す場合、ＡＭＦが、ターゲットセッション管理ネットワーク要素として、同じ場所に配置されたセッション管理機能ネットワーク要素を選択する段階をスキップする段階を含む。ＡＭＦが、同じ場所に配置されたセッション管理機能ネットワーク要素を、ターゲットセッション管理ネットワーク要素として選択する段階をスキップする段階は、ＡＭＦが、特に相互運用に用いられないセッション管理機能ネットワーク要素を、ターゲットセッション管理ネットワーク要素として選択する段階を含む。従って、ＡＭＦは、相互運用性能を有するが相互運用要件は有していない（すなわち、４Ｇとの相互運用をサポートしていないＤＮＮ）端末デバイスのために、ターゲットセッション管理ネットワーク要素として、５Ｇシステムにおけるセッション管理機能ネットワーク要素を選択してよい。このように、セッション要件を満たすことができるので、同じ場所に配置されたセッション管理機能ネットワーク要素の負荷が減少させることができる。
【００２７】
可能な設計において、当該方法は、第１の通信システムにおける第１のネットワーク要素が、ターゲットセッション管理機能ネットワーク要素に第２のメッセージを送信し、その結果、ターゲットセッション管理機能ネットワーク要素が、第２のメッセージに基づいて、ポリシ制御ネットワーク要素及び課金システムを決定する、送信する段階をさらに含む。
【００２８】
任意選択的に、第２のメッセージは、ターゲットセッション管理機能ネットワーク要素に、第１の通信システム内にある、同じ場所に配置されたポリシ制御ネットワーク要素及び同じ場所に配置された課金システム、又は、ポリシ制御ネットワーク要素及び課金システムを選択するように命令する、命令情報を含む。第１の通信システムは４Ｇシステムであり、第２の通信システムは５Ｇシステムであり、第１の通信システムにおける第１のネットワーク要素はＭＭＥである場合、ＭＭＥは、第２のメッセージを用いて、同じ場所に配置されたセッション管理機能ネットワーク要素に、相互運用性能は有するが相互運用要件は有していない端末デバイス（すなわち、端末デバイスは５Ｇネットワークのサービスを用いる必要がない、又は５Ｇネットワークのサービスをサブスクライブしない）のために、４Ｇシステム内にあるポリシ制御ネットワーク要素及び課金システムを選択するように命令してよい。その結果、同じ場所に配置されたポリシ制御ネットワーク要素の負荷、及び同じ場所に配置された課金システムの負荷が減少し得る。第１の通信システムは５Ｇシステムであり、第２の通信システムは４Ｇシステムであり、第１の通信システムにおける第１のネットワーク要素はＡＭＦである場合、ＡＭＦは、第２のメッセージを用いて、同じ場所に配置されたセッション管理機能ネットワーク要素に、相互運用性能は有するが相互運用要件は有していない端末デバイス（すなわち、端末デバイスは４Ｇネットワークのサービスを用いる必要がないか、又は４Ｇネットワークのサービスをサブスクライブしない）のために、５Ｇシステム内にあるポリシ制御ネットワーク要素及び課金システムを選択するように命令してよい。その結果、同じ場所に配置されたポリシ制御ネットワーク要素の負荷、及び同じ場所に配置された課金システムの負荷が減少し得る。
【００２９】
第３の態様によると、ネットワーク要素選択装置が提供され、当該装置は、端末デバイスにより送信される第１のメッセージを受信するように構成されている受信ユニットであって、第１のメッセージは、セッションの確立を要求するために用いられる、受信ユニットと、第１のメッセージに応答して、第１のサブスクリプション情報及び第２のサブスクリプション情報に基づいて、ターゲットセッション管理機能ネットワーク要素を決定するように構成されている処理ユニットであって、第１のサブスクリプション情報は、第１の通信システムにおける端末デバイスのサブスクリプション情報を含み、第２のサブスクリプション情報は、第２の通信システムにおける端末デバイスのサブスクリプション情報を含む、処理ユニットとを含む。
【００３０】
可能な設計において、処理ユニットは、端末デバイスの性能、第１のサブスクリプション情報、及び第２のサブスクリプション情報に基づいて、ターゲットセッション管理機能ネットワーク要素を決定するように具体的に構成されている。
【００３１】
可能な設計において、第１の通信システムは４Ｇシステムであり、第２の通信システムは５Ｇシステムであり、装置はＭＭＥであり、処理ユニットは、端末デバイスが、第１の通信システム及び第２の通信システムをサポートし、第１のサブスクリプション情報及び第２のサブスクリプション情報の両方が、セッションのデータネットワーク識別情報に対応するサブスクリプション情報を含む場合、ターゲットセッション管理ネットワーク要素として、同じ場所に配置されたセッション管理機能ネットワーク要素を選択するように具体的に構成されており、５Ｇシステムのセッション管理性能及び４Ｇシステムのセッション管理性能を有するネットワーク要素が、同じ場所に配置されたセッション管理機能ネットワーク要素である。
【００３２】
可能な設計において、第１の通信システムは４Ｇシステムであり、第２の通信システムは５Ｇシステムであり、装置はＭＭＥであり、処理ユニットは、端末デバイスが、第１の通信システム及び第２の通信システムをサポートし、第１のサブスクリプション情報が、セッションのデータネットワーク識別情報に対応するサブスクリプション情報を含み、第２のサブスクリプション情報が、セッションのデータネットワーク識別情報に対応するサブスクリプション情報を含まない場合、ターゲットセッション管理ネットワーク要素として、４Ｇシステムにおけるセッション管理機能ネットワーク要素を選択するように具体的に構成されている。
【００３３】
可能な設計において、第１の通信システムは５Ｇシステムであり、第２の通信システムは４Ｇシステムであり、装置はＡＭＦであり、処理ユニットは、端末デバイスが、第１の通信システム及び第２の通信システムをサポートし、第１のサブスクリプション情報及び第２のサブスクリプション情報の両方が、セッションのデータネットワーク識別情報に対応するサブスクリプション情報を含む場合、ターゲットセッション管理ネットワーク要素として、同じ場所に配置されたセッション管理機能ネットワーク要素を選択するように具体的に構成されており、５Ｇシステムのセッション管理性能及び４Ｇシステムのセッション管理性能を有するネットワーク要素が、同じ場所に配置されたセッション管理機能ネットワーク要素である。
【００３４】
可能な設計において、第１の通信システムは５Ｇシステムであり、第２の通信システムは４Ｇシステムであり、装置はＡＭＦであり、処理ユニットは、端末デバイスが、第１の通信システム及び第２の通信システムをサポートし、第１のサブスクリプション情報が、セッションのデータネットワーク識別情報に対応するサブスクリプション情報を含み、第２のサブスクリプション情報が、セッションのデータネットワーク識別情報に対応するサブスクリプション情報を含まない場合、ターゲットセッション管理ネットワーク要素として、５Ｇシステムにおけるセッション管理機能ネットワーク要素を選択するように具体的に構成されている。
【００３５】
可能な設計において、当該装置は、ターゲットセッション管理機能ネットワーク要素に第２のメッセージを送信し、その結果、ターゲットセッション管理機能ネットワーク要素が、第２のメッセージに基づいて、ポリシ制御ネットワーク要素及び課金システムを決定するように構成されている、送信ユニットをさらに含む。
【００３６】
本発明の第４の態様は、別のネットワーク要素選択装置を開示し、当該装置は、端末デバイスにより送信される第１のメッセージを受信するように構成されている受信ユニットであって、第１のメッセージは、セッションの確立を要求するために用いられる、受信ユニットと、第１のメッセージに応答して、端末デバイスの性能及び端末の第３のサブスクリプション情報に基づいて、ターゲットセッション管理機能ネットワーク要素を決定するように構成されている、処理ユニットとを含む。
【００３７】
可能な実装例において、第１の通信システムは５Ｇシステムであり、第２の通信システムは４Ｇシステムであり、ネットワーク要素選択装置は５Ｇシステムにおけるアクセス及びモビリティ管理機能ネットワーク要素ＡＭＦであり、処理ユニットは、端末デバイスが第１の通信システム及び第２の通信システムをサポートし、端末の第３のサブスクリプション情報が、セッションに対応するデータネットワーク識別情報ＤＮＮは４Ｇシステムとの相互運用をサポートすることを示す場合、ターゲットセッション管理ネットワーク要素として、同じ場所に配置されたセッション管理機能ネットワーク要素を選択するように具体的に構成されている。
【００３８】
可能な実装例において、第１の通信システムは５Ｇシステムであり、第２の通信システムは４Ｇシステムであり、ネットワーク要素選択装置は５Ｇシステムにおけるアクセス及びモビリティ管理機能ネットワーク要素ＡＭＦであり、処理ユニットは、端末デバイスが第１の通信システム及び第２の通信システムをサポートし、第３のサブスクリプション情報が、セッションのデータネットワーク識別情報ＤＮＮは４Ｇシステムとの相互運用をサポートしないことを示す場合、ターゲットセッション管理ネットワーク要素として、同じ場所に配置されたセッション管理機能ネットワーク要素を選択することをスキップするように具体的に構成されている。具体的には、ターゲットセッション管理ネットワーク要素として、同じ場所に配置されたセッション管理機能ネットワーク要素を選択する段階をスキップする段階は、ターゲットセッション管理ネットワーク要素として、５Ｇシステムにおけるセッション管理機能ネットワーク要素を選択する段階を含む。
【００３９】
可能な実装例において、第１の通信システムは４Ｇシステムであり、第２の通信システムは５Ｇシステムであり、ネットワーク要素選択装置は４Ｇシステムにおけるモビリティ管理機能ネットワーク要素ＭＭＥであり、処理ユニットは、端末デバイスが第１の通信システム及び第２の通信システムをサポートし、端末の第３のサブスクリプション情報が、セッションに対応するデータネットワーク識別情報ＡＰＮは５Ｇシステムとの相互運用をサポートすることを示す場合、ターゲットセッション管理ネットワーク要素として、同じ場所に配置されたセッション管理機能ネットワーク要素を選択するように具体的に構成されている。
【００４０】
可能な実装例において、第１の通信システムは４Ｇシステムであり、第２の通信システムは５Ｇシステムであり、ネットワーク要素選択装置は４Ｇシステムにおけるモビリティ管理機能ネットワーク要素ＭＭＥであり、処理ユニットは、端末デバイスが第１の通信システム及び第２の通信システムをサポートし、第３のサブスクリプション情報が、セッションのデータネットワーク識別情報ＡＰＮは５Ｇシステムとの相互運用をサポートしないことを示す場合、ターゲットセッション管理ネットワーク要素として、同じ場所に配置されたセッション管理機能ネットワーク要素を選択することをスキップするように具体的に構成されている。具体的には、ターゲットセッション管理ネットワーク要素として、同じ場所に配置されたセッション管理機能ネットワーク要素を選択する段階をスキップする段階は、ターゲットセッション管理ネットワーク要素として、４Ｇシステムにおけるセッション管理機能ネットワーク要素を選択する段階を含む。
【００４１】
可能な実装例において、当該装置は、ターゲットセッション管理機能ネットワーク要素に第２のメッセージを送信し、その結果、ターゲットセッション管理機能ネットワーク要素が、第２のメッセージに基づいて、ポリシ制御ネットワーク要素及び課金システムを決定するように構成されている、送信ユニットをさらに含む。
【００４２】
第５の態様によると、本願の実施形態はネットワーク要素選択装置を提供し、当該装置は、第１の通信システムにおける第１のネットワーク要素であってよく、又は、第１の通信システムにおける第１のネットワーク要素のチップであってよい。装置は、処理ユニット及び送受信ユニットを含んでよい。装置が、第１の通信システムにおける第１のネットワーク要素である場合、処理ユニットはプロセッサであってよく、送受信ユニットは送受信機であってよい。第１の通信システムにおける第１のネットワーク要素はさらに、記憶ユニットを含んでよく、当該記憶ユニットはメモリであってよい。記憶ユニットは命令を記憶するように構成されており、処理ユニットは、当該記憶ユニットに記憶された命令を実行し、その結果、第１の通信システムにおける第１のネットワーク要素が、第１の態様のうちいずれか１つ又は第１の態様の可能な設計における方法を実行する。装置が、第１の通信システムにおける第１のネットワーク要素のチップである場合、処理ユニットはプロセッサであってよく、送受信ユニットは、入出力インタフェース、ピン、回路などであってよい。処理ユニットは、記憶ユニットに記憶された命令を実行し、当該記憶ユニットは命令を記憶するように構成されている。記憶ユニットは、チップの記憶ユニット（例えば、レジスタ又はキャッシュ）であってもよく、又はチップの外に位置し、第１の通信システムにおける第１のネットワーク要素内にある記憶ユニット（例えば、リードオンリメモリ又はランダムアクセスメモリ）であってもよい。その結果、第１の通信システムにおける第１のネットワーク要素は、第１の態様のうちいずれか１つ又は第１の態様の可能な設計における方法を実行する。
【００４３】
第６の態様によると、本願の実施形態はさらに、コンピュータ可読記憶媒体を提供し、コンピュータ可読記憶媒体はコンピュータプログラムを記憶する。コンピュータプログラムがコンピュータ上で動作する場合、コンピュータは、第１の態様又は第２の態様における方法を実行することが可能になる。
【００４４】
第６の態様によると、本願の実施形態はさらに、プログラムを含むコンピュータプログラム製品を提供する。コンピュータプログラム製品がコンピュータ上で動作する場合、コンピュータは、第１の態様又は第２の態様における方法を実行することが可能になる。
【図面の簡単な説明】
【００４５】
【図１】本願の実施形態に係る４Ｇシステム及び５Ｇシステムの相互運用構造の概略図である。
【００４６】
【図２】本願の実施形態に係るネットワーク要素選択方法の概要フローチャートである。
【００４７】
【図３】本願の実施形態に係る４ＧネットワークのＵＥによるセッション接続の確立の具体的な概略フローチャート１である。
【００４８】
【図４】本願の実施形態に係る４ＧネットワークのＵＥによるセッション接続の確立の具体的な概略フローチャート２である。
【００４９】
【図５】本願の実施形態に係る５ＧネットワークのＵＥによるセッション接続の確立の具体的な概略フローチャート１である。
【００５０】
【図６】本願の実施形態に係る５ＧネットワークのＵＥによるセッション接続の確立の具体的な概略フローチャート２である。
【００５１】
【図７】本願の実施形態に係るネットワーク要素選択装置の概略構造図である。
【００５２】
【図８】本願の実施形態に係る第１の通信システムにおける第１のネットワーク要素の概略構造図である。
【００５３】
【図９】本願の実施形態に係る４ＧネットワークのＵＥによるセッション接続の確立の具体的な概略フローチャート３である。
【００５４】
【図１０】本願の実施形態に係る５ＧネットワークのＵＥによるセッション接続の確立の具体的な概略フローチャート３である。
【発明を実施するための形態】
【００５５】
以下は、添付の図面を参照して本願の実施形態を説明するものである。
【００５６】
図１は、本願の実施形態に係る具体的な応用シナリオの概略図である。図１は単なる例であり、本願を限定するために用いられるものではないことを理解されたい。
【００５７】
図１に示される４Ｇシステム及び５Ｇシステムの相互運用構造において、４Ｇネットワーク及び５Ｇネットワークは、ユーザプレーン機能（Ｕｓｅｒ  Ｐｌａｎｅ  Ｆｕｎｃｔｉｏｎ、ＵＰＦ）＋パケットデータネットワークゲートウェイのユーザプレーン機能（Ｐａｃｋｅｔ  Ｄａｔａ  Ｎｅｔｗｏｒｋ  Ｇａｔｅｗａｙ  Ｕｓｅｒ  Ｐｌａｎｅ  Ｆｕｎｃｔｉｏｎ、ＰＧＷ−Ｕ）、セッション管理機能（Ｓｅｓｓｉｏｎ  Ｍａｎａｇｅｍｅｎｔ  Ｆｕｎｃｔｉｏｎ、ＳＭＦ）＋プロトコルデータユニットゲートウェイ制御プレーン機能（Ｐｒｏｔｏｃｏｌ  Ｄａｔａ  Ｕｎｉｔ  Ｇａｔｅｗａｙ  Ｃｏｎｔｒｏｌ  ｐｌａｎｅ  ｆｕｎｃｔｉｏｎ、ＰＧＷ−Ｃ）、ポリシ制御機能（Ｐｏｌｉｃｙ  Ｃｏｎｔｒｏｌ  Ｆｕｎｃｔｉｏｎ、ＰＣＦ）＋ポリシ及び課金ルール機能（Ｐｏｌｉｃｙ  ａｎｄ  Ｃｈａｒｇｉｎｇ  Ｒｕｌｅｓ  Ｆｕｎｃｔｉｏｎ、ＰＣＲＦ）、及びホーム加入者サーバ（Ｈｏｍｅ  Ｓｕｂｓｃｒｉｂｅｒ  Ｓｅｒｖｅｒ、ＨＳＳ）＋統一的データ管理（Ｕｎｉｆｉｅｄ  Ｄａｔａ  Ｍａｎａｇｅｍｅｎｔ、ＵＤＭ）を共有する。ここでの「＋」は、コロケーションを表し、ここでの「コロケーション」は、１つのデバイスが２つのエンティティの機能を有することを意味する。ＵＰＦは、５Ｇにおけるユーザプレーン機能ネットワーク要素であり、ＰＧＷ−Ｕは、４Ｇ内にある、且つＵＰＦに対応するＰＤＵゲートウェイユーザプレーン機能ネットワーク要素であり、ＵＰＦ＋ＰＧＷ‐Ｕは、同じ場所に配置されたユーザプレーン機能ネットワーク要素であり、且つ５Ｇシステムのユーザプレーン機能及び４Ｇシステムのユーザプレーン機能を有する。ＳＭＦは、５Ｇにおけるセッション管理機能ネットワーク要素であり、ＰＧＷ−Ｃは、４Ｇ内にある、且つＳＭＦに対応するＰＤＵゲートウェイ制御プレーン機能ネットワーク要素であり、ＳＭＦ＋ＰＧＷ‐Ｃは、同じ場所に配置されたセッション管理機能ネットワーク要素であり、且つ５Ｇシステムのセッション管理性能及び４Ｇシステムのセッション管理性能を有する。ＰＣＦは、５Ｇにおけるポリシ及び課金ルール機能ネットワーク要素であり、ＰＣＲＦは、４Ｇにおけるポリシ制御機能ネットワーク要素であり、オンライン課金システム（ｏｎｌｉｎｅ  ｃｈａｒｇｉｎｇ  ｓｙｓｔｅｍ、ＯＣＳ）及びオフライン課金システム（ｏｆｆｌｉｎｅ  ｃｈａｒｇｉｎｇ  ｓｙｓｔｅｍ、ＯＦＣＳ）は４Ｇにおける課金システムネットワーク要素であり、ＰＣＦ＋ＰＣＲＦは、同じ場所に配置されたポリシ及び課金ルール機能ネットワーク要素であり、且つ、５Ｇシステムのポリシ及び課金ルール機能、及び４Ｇシステムのポリシ及び課金ルール機能を有する。ＵＤＭは、５Ｇにおけるユーザデータを管理するように構成されており、例えば、５Ｇにおける当該ユーザデータは、５Ｇにおけるユーザのサブスクリプション情報を含む。ＨＳＳはＵＤＭに対応し、４Ｇにおけるユーザデータを管理するように構成されており、例えば、４Ｇにおけるユーザデータは、４Ｇにおけるユーザのサブスクリプション情報を含む。ＨＳＳ＋ＵＤＭは、同じ場所に配置されたユーザデータ管理ネットワーク要素である。図１の次世代の無線アクセスネットワーク（Ｎｅｘｔ  Ｇｅｎｅｒａ���ｉｏｎ  Ｒａｄｉｏ  Ａｃｃｅｓｓ  Ｎｅｔｗｏｒｋｓ、ＮＧ‐ＲＡＮ）は、５Ｇにおけるアクセスネットワークデバイスであり、進化型ＵＭＴＳ地上無線アクセスネットワーク（Ｅｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋ、Ｅ−ＵＴＲＡＮ）は、４Ｇにおけるアクセスネットワークデバイスであることに留意されたい。相互運用構造において、ＭＭＥは、サービングゲートウェイ（Ｓｅｒｖｉｎｇ  Ｇａｔｅｗａｙ、ＳＧＷ）及びＵＰＦ＋ＰＧＷ‐Ｕを用いて、又は、サービングゲートウェイ及びＳＭＦ＋ＰＧＷ‐Ｃを用いて、Ｅ−ＵＴＲＡＮとの通信を行う。加えて、相互運用構造はさらに、純粋な４Ｇネットワーク要素を含んでよく、例えば、ＰＧＷ−Ｕ、ＰＧＷ−Ｃ、ＰＣＲＦ、及びＨＳＳのうちの少なくとも１つを含んでよい。同様に、相互運用構造はさらに、純粋な５Ｇネットワーク要素を含んでよく、例えば、ＵＰＦ、ＳＭＦ、ＰＣＦ、及びＵＤＭのうちの少なくとも１つを含んでよい。
【００５８】
５ＧシステムにおけるＵＥがアクセスを実行する場合、アクセス及びモビリティ管理機能（Ｃｏｒｅ  Ａｃｃｅｓｓ  ａｎｄ  Ｍｏｂｉｌｉｔｙ  Ｍａｎａｇｅｍｅｎｔ  Ｆｕｎｃｔｉｏｎ、ＡＭＦ）が、ＵＥが４Ｇシステム及び５Ｇシステムをサポートできると決定するならば、ＡＭＦは、ＵＥが接続を確立するために、同じ場所に配置されたセッション管理機能ネットワーク要素を選択することを理解されたい。いくつかのシナリオにおいて、ＵＥは４Ｇネットワークのサービスを用いる必要がないか、又は４Ｇネットワークのサービスをサブスクライブしない。すなわち、４Ｇシステム及び５ＧシステムをサポートするＵＥは、相互運用要件を有していなくてもよい。従って、この場合、ＡＭＦは、同じ場所に配置されたセッション管理機能ネットワーク要素をＵＥのために選択する必要がない。従って、５ＧシステムにおけるＵＥがアクセスを実行する場合、ネットワーク要素が不適切に選択されるという問題も存在する。従って、ネットワーク要素が不適切に選択されるという問題を解決するために、本願の実施形態がネットワーク要素選択方法を提供する。図２に示されるように、４Ｇシステム及び５Ｇシステムをサポートし、且つ相互運用要件を有していないＵＥが、ネットワーク要素を適切に選択できるようにするために、当該方法は以下の段階を含む。
【００５９】
段階２００：第１の通信システムにおける第１のネットワーク要素が、端末デバイスにより送信される第１のメッセージを受信し、当該第１のメッセージは、セッションの確立を要求するために用いられる。第１のメッセージは、セッションの確立を要求するために用いられる。可能な設計において、第１のネットワーク要素は、第１のメッセージのメッセージタイプ又はメッセージ名に基づいて、当該メッセージがセッションの確立を要求するために用いられていると決定する。例えば、第１のメッセージはＰＤＵセッション確立要求（ＰＤＵ  Ｓｅｓｓｉｏｎ  Ｅｓｔａｂｌｉｓｈｍｅｎｔ  Ｒｅｑｕｅｓｔ）であり、又は、第１のメッセージはＰＤＵ接続性要求（ＰＤＮ  Ｃｏｎｎｅｃｔｉｖｉｔｙ  Ｒｅｑｕｅｓｔ）であり、第１のネットワーク要素は、メッセージ名に基づいて、当該メッセージがセッションの確立を要求するために用いられていると決定してよい。あるいは、第１のメッセージはアタッチ要求（Ａｔｔａｃｈ  Ｒｅｑｕｅｓｔ）であり、第１のネットワーク要素は、メッセージタイプに基づいて、ネットワークサイドで登録に成功した後に、ＵＥがセッションの確立を要求する必要があると決定してよい。
【００６０】
段階２１０：第１のメッセージに応答して、第１の通信システムにおける第１のネットワーク要素が、第１のサブスクリプション情報及び第２のサブスクリプション情報に基づいて、ターゲットセッション管理機能ネットワーク要素を決定する。第１のサブスクリプション情報は、第１の通信システムにおける端末デバイスのサブスクリプション情報を含み、第２のサブスクリプション情報は、第２の通信システムにおける端末デバイスのサブスクリプション情報を含む。可能な設計において、第１のサブスクリプション情報は、第１の通信システムにおける端末デバイスの１又は複数のデータネットワーク識別情報に対応するサブスクリプション情報であってよい。第２のサブスクリプション情報も、第２の通信システムにおける端末デバイスの１又は複数のデータネットワーク識別情報に対応するサブスクリプション情報であってよい。別の可能な設計において、第１のサブスクリプション情報は、第１の通信システムにおいて、端末デバイスがデータネットワーク識別情報をサブスクライブしているかを示すインジケーション情報であってよく、第２のサブスクリプション情報も、第２の通信システムにおいて、端末デバイスがデータネットワーク識別情報をサブスクライブしているかを示すインジケーション情報であってよい。
【００６１】
第１の通信システムにおける第１のネットワーク要素は、第１のサブスクリプション情報及び第２のサブスクリプション情報を取得する必要がある。可能な設計において、段階２００の前に、第１の通信システムにおける第１のネットワーク要素は、同じ場所に配置されたユーザデータ管理ネットワーク要素に第３のメッセージを送信し、当該第３のメッセージは、第１のサブスクリプション情報及び第２のサブスクリプション情報を取得するために用いられる。第１の通信システムにおける第１のネットワーク要素は、第１のサブスクリプション情報及び第２のサブスクリプション情報を記憶する。あるいは、第１の通信システムにおける第１のネットワーク要素は、第１の通信システムにおけるユーザデータ管理ネットワーク要素に第１のサブスクリプション情報を個別に問い合わせ、第２の通信システムにおけるユーザデータ管理ネットワーク要素に第２のサブスクリプション情報を問い合わせる。従って、第１の通信システムにおける第１のネットワーク要素は、第１のサブスクリプション情報及び第２のサブスクリプション情報を事前に記憶してよい。別の可能な設計において、段階２００の後、且つ段階２１０の前に、第１の通信システムにおける第１のネットワーク要素が、同じ場所に配置されたユーザデータ管理ネットワーク要素に第４のメッセージを送信し、当該第４のメッセージは、第１のサブスクリプション情報及び第２のサブスクリプション情報を問い合わせるために用いられる。あるいは、第１の通信システムにおける第１のネットワーク要素は、第１の通信システムにおけるユーザデータ管理ネットワーク要素に第１のサブスクリプション情報を個別に問い合わせ、第２の通信システムにおけるユーザデータ管理ネットワーク要素に第２のサブスクリプション情報を問い合わせる。従って、第１の通信システムにおける第１のネットワーク要素は、第１のサブスクリプション情報及び第２のサブスクリプション情報をリアルタイムで問い合わせてよい。同じ場所に配置されたユーザデータ管理ネットワーク要素は、図１に示されるＨＳＳ＋ＵＤＭであってよいことを理解されたい。加えて、第１のサブスクリプション情報及び第２のサブスクリプション情報を取得する前に、第１の通信システムにおける第１のネットワーク要素はさらに、現在のセッションのデータネットワーク識別情報を決定し、その後、第１のサブスクリプション情報として、第１の通信システムにおける端末デバイスのデータネットワーク識別情報に対応するサブスクリプション情報を取得し、第２のサブスクリプション情報として、データネットワーク識別情報に対応し、且つ第２の通信システムにおける端末デバイスに関するデータネットワーク識別情報に対応するサブスクリプション情報を取得してよい。
【００６２】
第１の通信システムにおける第１のネットワーク要素が、第１のサブスクリプション情報及び第２のサブスクリプション情報を取得する順序は、本願において限定されるものではないことを理解されたい。言い換えれば、第１のネットワーク要素は、第１のサブスクリプション情報及び第２のサブスクリプション情報を同時に取得してよく、又は、第１のサブスクリプション情報を最初に取得し、その後、第２のサブスクリプション情報を取得してよい。可能な設計において、第１の通信システムにおける第１のネットワーク要素は最初に第１のサブスクリプション情報を取得する。そして、第１のサブスクリプション情報が存在すると決定された場合、第１のネットワーク要素はその後、第２のサブスクリプション情報を取得する。又は、第１のサブスクリプション情報が存在しないと決定された場合、第１のネットワーク要素は現在のセッション確立要求を拒絶し、任意選択的に、第２のサブスクリプション情報を取得しない。
【００６３】
段階２１０の可能な実装例において、第１の通信システムにおける第１のネットワーク要素は、端末デバイスの性能、第１のサブスクリプション情報、及び第２のサブスクリプション情報に基づいて、ターゲットセッション管理機能ネットワーク要素を決定してよい。任意選択的に、段階２００の前に、第１の通信システムにおける第１のネットワーク要素が、端末デバイスにより送信される非アクセス層（Ｎｏｎ  Ａｃｃｅｓｓ  Ｓｔｒａｔｕｍ、ＮＡＳ）メッセージを受信し、ＮＡＳメッセージは、端末デバイスの性能情報を搬送する。あるいは、第１のメッセージは端末デバイスの性能情報を搬送する。例えば、端末デバイスの性能情報は、端末デバイスが第１の通信システムをサポートするかについての情報、及び端末デバイスが第２の通信システムをサポートするかについての情報を含む。又は、端末デバイスの性能情報は、端末デバイスが第１の通信システム及び第２の通信システムをサポートするかを示すインジケーション情報を含む。従って、第１の通信システムにおける第１のネットワーク要素は、端末デバイスの性能情報に基づいて、端末デバイスが第１の通信システム及び第２の通信システムをサポートするかを決定してよい。
【００６４】
第１の通信システムにおける第１のネットワーク要素が、端末デバイスの性能、第１のサブスクリプション情報、及び第２のサブスクリプション情報に基づいて、ターゲットセッション管理機能ネットワーク要素を決定する具体的なプロセスは、具体的な応用シナリオを参照して以下に説明される。
【００６５】
シナリオ１：第１の通信システムは４Ｇシステムであり、第２の通信システムは５Ｇシステムであり、第１の通信システムにおける第１のネットワーク要素はＭＭＥである。
【００６６】
シナリオ１は具体的に、２つの可能な例を含んでよい。
【００６７】
第１の可能な例において、端末デバイスが第１の通信システム及び第２の通信システムをサポートし、第１のサブスクリプション情報及び第２のサブスクリプション情報の両方が、セッションのデータネットワーク識別情報に対応するサブスクリプション情報を含む場合、ＭＭＥは、ターゲットセッション管理ネットワーク要素として、同じ場所に配置されたセッション管理機能ネットワーク要素、例えば、図１に示されるＳＭＦ＋ＰＧＷ‐Ｃを選択する。
【００６８】
第２の可能な例において、端末デバイスが第１の通信システム及び第２の通信システムをサポートし、第１のサブスクリプション情報が、セッションのデータネットワーク識別情報に対応するサブスクリプション情報を含み、第２のサブスクリプション情報が、セッションのデータネットワーク識別情報に対応するサブスクリプション情報を含まない場合、ＭＭＥは、ターゲットセッション管理ネットワーク要素として、４Ｇシステムにおけるセッション管理機能ネットワーク要素、例えば、図１に示されるＰＧＷ−Ｃを選択する。
【００６９】
上述した２つの可能な例において、ＭＭＥは、２つの決定段階を用いて、ターゲットセッション管理ネットワーク要素を決定する必要がある。２つの決定段階を実行する順序は、本願において限定されるものではない。
【００７０】
一方の決定段階は、端末デバイスが第１の通信システム及び第２の通信システムをサポートするかを決定する段階である。具体的には、ＭＭＥは、端末デバイスの性能情報に基づいて、端末デバイスが第１の通信システム及び第２の通信システムをサポートすると決定してよい。
【００７１】
他方の決定段階は、第１のサブスクリプション情報及び第２のサブスクリプション情報の両方が、セッションのデータネットワーク識別情報に対応するサブスクリプション情報を含むかを決定する段階である。
【００７２】
最初に、ＭＭＥは、セッションのデータネットワーク識別情報を決定する必要がある。第１の通信システムが４Ｇシステムであり、第２の通信システムが５Ｇシステムである場合、セッションのデータネットワーク識別情報は、アクセスポイント名（Ａｃｃｅｓｓ  Ｐｏｉｎｔ  Ｎａｍｅ、ＡＰＮ）である。特定のＡＰＮ決定方式は、本願において限定されるものではない。可能な設計において、第１のメッセージはセッションのデータネットワーク識別情報を搬送し、ＭＭＥは、第１のメッセージに基づいて、セッションのデータネットワーク識別情報を決定してよい。別の可能な設計において、第１のメッセージはデータネットワーク識別情報を搬送せず、ＭＭＥはＡＰＮ、例えば、デフォルトＡＰＮを決定してよく、又は、ローカルポリシー、ローカル構成などに基づいて、構成されたＡＰＮをセッション用に決定してよい。ＭＭＥによる、セッションのデータネットワーク識別情報を決定する以下の方法は、ここでの方法と一致する。重複する内容は、改めて説明されない。
【００７３】
第１の実装例において、ＭＭＥは、決定されたＡＰＮに基づいて、第１のサブスクリプション情報及び第２のサブスクリプション情報を決定又は取得する。この場合、第１のサブスクリプション情報は、４Ｇシステムにおける端末デバイスのＡＰＮのサブスクリプション情報であるか、又は、端末デバイスがＡＰＮをサブスクライブしているかを示すインジケーション情報であってよい。第２のサブスクリプション情報は、ＡＰＮに対応する、且つ５Ｇシステムにおける端末デバイスに関するデータネットワーク名（Ｄａｔａ  Ｎｅｔｗｏｒｋ  Ｎａｍｅ、ＤＮＮ）のサブスクリプション情報であるか、又は、端末デバイスがＤＮＮをサブスクライブしているかを示すインジケーション情報であってよく、ＡＰＮはＤＮＮに対応する。あるいは、第２のサブスクリプション情報は、ＡＰＮに対応する、且つ５Ｇシステムにおける端末デバイスに関するＤＮＮ＋単一ネットワークスライス選択支援情報（Ｓｉｎｇｌｅ  Ｎｅｔｗｏｒｋ  Ｓｌｉｃｅ  Ｓｅｌｅｃｔｉｏｎ  Ａｓｓｉｓｔａｎｃｅ  ｉｎｆｏｒｍａｔｉｏｎ、Ｓ‐ＮＳＳＡＩ）のサブスクリプション情報であるか、又は、端末デバイスがＤＮＮ＋Ｓ‐ＮＳＳＡＩをサブスクライブしているかと、ＡＰＮがＤＮＮ＋Ｓ‐ＮＳＳＡＩに対応するかを示すインジケーション情報であってよい。具体的には、第１の可能性の場合、第１のサブスクリプション情報及び第２のサブスクリプション情報の両方が、セッションのデータネットワーク識別情報に対応するサブスクリプション情報を含むとＭＭＥが決定する方式は、以下の通りである。４ＧシステムにおけるＡＰＮのサブスクリプション情報を端末デバイスが有し、ＡＰＮに対応する、且つ５Ｇシステム内にあるＤＮＮのサブスクリプション情報を端末デバイスが有するか、又は、４ＧシステムにおけるＡＰＮのサブスクリプション情報を端末デバイスが有し、ＡＰＮに対応する、且つ５Ｇシステム内にあるＤＮＮ＋Ｓ‐ＮＳＳＡＩのサブスクリプション情報を端末デバイスが有する。第２の可能性の場合、第１のサブスクリプション情報が、セッションのデータネットワーク識別情報に対応するサブスクリプション情報を含み、第２のサブスクリプション情報が、セッションのデータネットワーク識別情報に対応するサブスクリプション情報を含まないとＭＭＥが決定する方式は、以下の通りである。４ＧシステムにおけるＡＰＮのサブスクリプション情報を端末デバイスが有し、ＡＰＮに対応する、且つ５Ｇシステム内にあるＤＮＮのサブスクリプション情報を端末デバイスが有していないか、又は、４ＧシステムにおけるＡＰＮのサブスクリプション情報を端末デバイスが有し、ＡＰＮに対応する、且つ５Ｇシステム内にあるＤＮＮ＋Ｓ‐ＮＳＳＡＩのサブスクリプション情報を端末デバイスが有していない。本願におけるＤＮＮ＋Ｓ‐ＮＳＳＡＩのサブスクリプション情報は、ＤＮＮにＳ‐ＮＳＳＡＩを加えた粒度を有するサブスクリプション情報であることに留意されたい。以下のＤＮＮ＋Ｓ‐ＮＳＳＡＩのサブスクリプション情報は、ここでのＤＮＮ＋Ｓ‐ＮＳＳＡＩのサブスクリプション情報と同じ意味を有する。重複する内容は、改めて説明されない。
【００７４】
第２の可能な実装例において、ＭＭＥは最初に、４Ｇシステムにおける端末デバイスの全てのサブスクリプション情報、及び５Ｇシステムにおける端末デバイスの全てのサブスクリプション情報を取得する。この場合、第１のサブスクリプション情報は、４Ｇシステムにおいて端末デバイスがサブスクライブしている各ＡＰＮに対応するサブスクリプション情報を含み、第２のサブスクリプション情報は、５Ｇシステムにおいて端末デバイスがサブスクライブしている各ＤＮＮに対応するサブスクリプション情報を含むか、又は、第２のサブスクリプション情報は、５Ｇシステムにおいて端末デバイスがサブスクライブしている各ＤＮＮ＋Ｓ‐ＮＳＳＡＩに対応するサブスクリプション情報を含む。具体的には、第１の可能性の場合、第１のサブスクリプション情報及び第２のサブスクリプション情報の両方が、セッションのデータネットワーク識別情報に対応するサブスクリプション情報を含むとＭＭＥが決定する方式は、以下の通りである。第１のサブスクリプション情報はＡＰＮに対応するサブスクリプション情報を含み、第２のサブスクリプション情報はＡＰＮに対応するＤＮＮのサブスクリプション情報を含むか、又は、第１のサブスクリプション情報はＡＰＮに対応するサブスクリプション情報を含み、第２のサブスクリプション情報はＡＰＮに対応するＤＮＮ＋Ｓ‐ＮＳＳＡＩのサブスクリプション情報を含むとＭＭＥが決定する。第２の可能性の場合、第１のサブスクリプション情報はセッションのデータネットワーク識別情報に対応するサブスクリプション情報を含み、第２のサブスクリプション情報はセッションのデータネットワーク識別情報に対応するサブスクリプション情報を含まないとＭＭＥが決定する方式は、以下の通りである。第１のサブスクリプション情報はＡＰＮに対応するサブスクリプション情報を含み、第２のサブスクリプション情報はＡＰＮに対応するＤＮＮのサブスクリプション情報を含まないとＭＭＥが決定するか、又は、第１のサブスクリプション情報はＡＰＮに対応するサブスクリプション情報を含み、第２のサブスクリプション情報はＡＰＮに対応するＤＮＮ＋Ｓ‐ＮＳＳＡＩのサブスクリプション情報を含まないとＭＭＥが決定する。
【００７５】
第３の可能な実装例において、ＭＭＥは最初に、４Ｇシステムにおける端末デバイスの全てのサブスクリプション情報を取得し、第１のサブスクリプション情報は、４Ｇシステムにおいて端末デバイスがサブスクライブしている各ＡＰＮに対応するサブスクリプション情報を含む。その後、ＭＭＥは、決定されたＡＰＮに基づいて、第２のサブスクリプション情報を決定又は取得し、第２のサブスクリプション情報は、ＡＰＮに対応する、且つ５Ｇシステムにおける端末デバイスに関するＤＮＮのサブスクリプション情報であるか、又は、端末デバイスがＤＮＮをサブスクライブしているかを示すインジケーション情報であってよい。あるいは、第２のサブスクリプション情報は、ＡＰＮに対応する、且つ５Ｇシステムにおける端末デバイスに関する、ＤＮＮ＋Ｓ‐ＮＳＳＡＩのサブスクリプション情報であるか、又は、端末デバイスがＤＮＮ＋Ｓ‐ＮＳＳＡＩをサブスクライブしているかを示すインジケーション情報であってよい。具体的には、第１の可能性の場合、第１のサブスクリプション情報及び第２のサブスクリプション情報の両方が、セッションのデータネットワーク識別情報に対応するサブスクリプション情報を含むとＭＭＥが決定する方式は、以下の通りである。第１のサブスクリプション情報はＡＰＮに対応するサブスクリプション情報を含み、ＡＰＮに対応する、且つ５Ｇシステム内にあるＤＮＮのサブスクリプション情報を端末デバイスが有するか、又は、第１のサブスクリプション情報はＡＰＮに対応するサブスクリプション情報を含み、ＡＰＮに対応する、且つ５Ｇシステム内にあるＤＮＮ＋Ｓ‐ＮＳＳＡＩのサブスクリプション情報を端末デバイスが有する。第２の可能性の場合、第１のサブスクリプション情報はセッションのデータネットワーク識別情報に対応するサブスクリプション情報を含み、第２のサブスクリプション情報はセッションのデータネットワーク識別情報に対応するサブスクリプション情報を含まないとＭＭＥが決定する方式は、以下の通りである。第１のサブスクリプション情報はＡＰＮに対応するサブスクリプション情報を含み、ＡＰＮに対応する、且つ５Ｇシステム内にあるＤＮＮのサブスクリプション情報を端末デバイスが有していないか、又は、第１のサブスクリプション情報はＡＰＮに対応するサブスクリプション情報を含み、ＡＰＮに対応する、且つ５Ｇシステム内にあるＤＮＮ＋Ｓ‐ＮＳＳＡＩのサブスクリプション情報を端末デバイスが有していない。
【００７６】
第１のサブスクリプション情報に含まれる全てのＡＰＮに対応するサブスクリプション情報が、第２のサブスクリプション情報におけるＤＮＮのサブスクリプション情報と１対１の対応関係にあるのではなく、一部のＡＰＮのみのサブスクリプション情報が、５ＧシステムにおけるＤＮＮのサブスクリプション情報と１対１の対応関係にあることを理解されたい。同様に、第１のサブスクリプション情報に含まれる全てのＡＰＮに対応するサブスクリプション情報が、第２のサブスクリプション情報におけるＤＮＮ＋Ｓ‐ＮＳＳＡＩのサブスクリプション情報と１対１の対応関係にあるのではなく、一部のＡＰＮのみのサブスクリプション情報が、５ＧシステムにおけるＤＮＮ＋Ｓ‐ＮＳＳＡＩのサブスクリプション情報と１対１の対応関係にある。
【００７７】
第４の可能な実装例において、端末デバイスが第１の通信システム及び第２の通信システムをサポートする場合、ＭＭＥがＡＰＮを決定した後、ＭＭＥは、同じ場所に配置されたユーザデータ管理ネットワーク要素に第５のメッセージを送信し、第５のメッセージは、ＡＰＮに対応するＤＮＮに対応するサブスクリプション情報が、ＡＰＮに対応するサブスクリプション情報内に存在するかを問い合わせるために用いられる。ＭＭＥは、同じ場所に配置されたユーザデータ管理ネットワーク要素により送信される問い合わせ結果を受信する。ＡＰＮに対応するＤＮＮに対応するサブスクリプション情報が、ＡＰＮに対応するサブスクリプション情報内に存在することを問い合わせ結果が示す場合、ＭＭＥは、同じ場所に配置されたセッション管理機能ネットワーク要素を選択する。ＡＰＮに対応するＤＮＮに対応するサブスクリプション情報が、ＡＰＮに対応するサブスクリプション情報内に存在しないことを問い合わせ結果が示す場合、ＭＭＥは、４Ｇシステムにおけるセッション管理機能ネットワーク要素を選択する。あるいは、端末デバイスが第１の通信システム及び第２の通信システムをサポートする場合、ＭＭＥがＡＰＮを決定した後、ＭＭＥは、同じ場所に配置されたユーザデータ管理ネットワーク要素に第５のメッセージを送信し、第５のメッセージは、ＡＰＮに対応するＤＮＮ＋Ｓ‐ＮＳＳＡＩに対応するサブスクリプション情報が、ＡＰＮに対応するサブスクリプション情報内に存在するかを問い合わせるために用いられる。ＭＭＥは、同じ場所に配置されたユーザデータ管理ネットワーク要素により送信される問い合わせ結果を受信する。ＡＰＮに対応するＤＮＮ＋Ｓ‐ＮＳＳＡＩに対応するサブスクリプション情報が、ＡＰＮに対応するサブスクリプション情報内に存在することを問い合わせ結果が示す場合、ＭＭＥは、同じ場所に配置されたセッション管理機能ネットワーク要素を選択する。ＡＰＮに対応するＤＮＮ＋Ｓ‐ＮＳＳＡＩに対応するサブスクリプション情報が、ＡＰＮに対応するサブスクリプション情報内に存在しないことを問い合わせ結果が示す場合、ＭＭＥは、４Ｇシステムにおけるセッション管理機能ネットワーク要素を選択する。
【００７８】
第５の可能な実装例において、ＭＭＥは、同じ場所に配置されたユーザデータ管理ネットワーク要素に第６のメッセージを送信し、第６のメッセージは、ＡＰＮとＤＮＮとの間のマッピング関係を取得するために用いられ、当該マッピング関係は、ＡＰＮのサブスクリプション情報がＤＮＮのサブスクリプション情報に対応することを示す。ＭＭＥは、同じ場所に配置されたユーザデータ管理ネットワーク要素により送信されるマッピング関係を受信し、当該マッピング関係を記憶する。例えば、ＭＭＥは、端末デバイスにより送信される第１のメッセージを受信する前に、同じ場所に配置されたユーザデータ管理ネットワーク要素に第６のメッセージを送信してよく、又は、ＭＭＥは、端末デバイスにより送信される第１のメッセージを受信した後、同じ場所に配置されたユーザデータ管理ネットワーク要素に第６のメッセージを送信してよい。ＡＰＮを決定した後、ＭＭＥは、ＡＰＮに基づいてマッピング関係を問い合わせる。ＡＰＮがＤＮＮに対応することをマッピング関係が示す場合、ＭＭＥは、同じ場所に配置されたセッション管理機能ネットワーク要素を選択する。ＡＰＮがＤＮＮに対応しないことをマッピング関係が示す場合、ＭＭＥは、４Ｇシステムにおけるセッション管理機能ネットワーク要素を選択する。同様に、上述した設計は、ＡＰＮがＤＮＮ及びＳ‐ＮＳＳＡＩに対応する場合にも適用可能である。詳細はここで説明されない。
【００７９】
例えば、端末デバイスが、ＡＰＮ１、ＡＰＮ２、及びＡＰＮ３を含む４Ｇシステムにおける３つのＡＰＮをサブスクライブし、ＤＮＮ１、ＤＮＮ２、ＤＮＮ３、及びＤＮＮ４を含む５Ｇシステムにおける４つのＤＮＮをサブスクライブする。ＡＰＮ１はＤＮＮ２に対応し、ＡＰＮ３はＤＮＮ３に対応する。このように、マッピング関係は、ＡＰＮ１とＤＮＮ２との間のマッピング関係、及びＡＰＮ３とＤＮＮ３との間のマッピング関係を含む。ＭＭＥがＡＰＮ２を決定する場合、ＭＭＥは、ＡＰＮ２に基づいてマッピング関係を問い合わせ、ＡＰＮ２がＤＮＮに対応しないと決定し、ＭＭＥは、４Ｇシステムにおけるセッション管理機能ネットワーク要素を選択する。ＭＭＥがＡＰＮ３を決定する場合、ＭＭＥは、ＡＰＮ３に基づいてマッピング関係を問い合わせ、ＡＰＮ４に対応するＤＮＮがＤＮＮ３であると決定し、ＭＭＥは、同じ場所に配置されたセッション管理機能ネットワーク要素を選択する。
【００８０】
従って、上述した可能な実装例において、ＭＭＥは、同じ場所に配置されたセッション管理機能ネットワーク要素を、相互運用性能及び相互運用要件の両方を有する端末デバイスのためのターゲットセッション管理機能ネットワーク要素として選択してよい。ＭＭＥは、相互運用性能を有するが相互運用要件は有していない（すなわち、端末デバイスは５Ｇネットワークのサービスを用いる必要がないか、又は５Ｇネットワークのサービスをサブスクライブしていない）端末デバイスのためのターゲットセッション管理ネットワーク要素として、４Ｇシステムにおけるセッション管理機能ネットワーク要素を選択してよい。このように、セッション要件を満たすことができるので、同じ場所に配置されたセッション管理機能ネットワーク要素の負荷が減少させることができる。
【００８１】
シナリオ２：第１の通信システムは５Ｇシステムであり、第２の通信システムは４Ｇシステムであり、第１の通信システムにおける第１のネットワーク要素はＡＭＦである。
【００８２】
シナリオ２は具体的に、２つの可能な例を含んでよい。
【００８３】
第１の可能な例において、端末デバイスが第１の通信システム及び第２の通信システムをサポートし、第１のサブスクリプション情報及び第２のサブスクリプション情報の両方が、セッションのデータネットワーク識別情報に対応するサブスクリプション情報を含む場合、ＡＭＦは、ターゲットセッション管理ネットワーク要素として、同じ場所に配置されたセッション管理機能ネットワーク要素、例えば、図１に示されるＳＭＦ＋ＰＧＷ‐Ｃを選択する。
【００８４】
第２の可能な例において、端末デバイスが第１の通信システム及び第２の通信システムをサポートし、第１のサブスクリプション情報が、セッションのデータネットワーク識別情報に対応するサブスクリプション情報を含み、第２のサブスクリプション情報が、セッションのデータネットワーク識別情報に対応するサブスクリプション情報を含まない場合、ＡＭＦは、ターゲットセッション管理ネットワーク要素として、５Ｇシステムにおけるセッション管理機能ネットワーク要素を選択し、５Ｇシステムにおけるセッション管理機能ネットワーク要素はＳＭＦである。
【００８５】
シナリオ１と同様に、上述した２つの可能な例において、ＡＭＦは、２つの決定段階を用いて、ターゲットセッション管理ネットワーク要素を決定する必要がある。２つの決定段階を実行する順序は、限定されるものではない。
【００８６】
一方の決定段階は、端末デバイスが第１の通信システム及び第２の通信システムをサポートするかを決定する。具体的には、ＡＭＦは、端末デバイスの性能情報に基づいて、端末デバイスが第１の通信システム及び第２の通信システムをサポートすると決定してよい。
【００８７】
他方の決定段階は、第１のサブスクリプション情報及び第２のサブスクリプション情報の両方が、セッションのデータネットワーク識別情報に対応するサブスクリプション情報を含むかをＡＭＦが決定する。
【００８８】
最初に、ＡＭＦは、現在のセッションセッションのデータネットワーク識別情報を決定する。第１の通信システムが５Ｇシステムであり、第２の通信システムが４Ｇシステムである場合、セッションのデータネットワーク識別情報は、ＤＮＮであるか、又は、ＤＮＮ及びＳ‐ＮＳＳＡＩである。特定のＤＮＮ決定方式、又は、ＤＮＮ及びＳ‐ＮＳＳＡＩを決定する特定の方式は、本願において限定されるものではない。可能な設計において、第１のメッセージはセッションのデータネットワーク識別情報を搬送し、ＡＭＦは、第１のメッセージに基づいて、セッションのデータネットワーク識別情報を決定してよい。別の可能な設計において、第１のメッセージはデータネットワーク識別情報を搬送せず、ＡＭＦはＤＮＮ、又は、ＤＮＮ及びＳ‐ＮＳＳＡＩ、例えば、デフォルトＤＮＮ、又は、デフォルトＤＮＮ及びＳ‐ＮＳＳＡＩを決定してよく、又は、ローカルポリシー、ローカル構成などに基づいて、構成されたＤＮＮ、又は、構成されたＤＮＮ及びＳ‐ＮＳＳＡＩをセッション用に決定してよい。セッションのデータネットワーク識別情報をＡＭＦが決定する以下の方法は、ここでの方法と一致する。重複する内容は、改めて説明されない。
【００８９】
第１の実装例において、ＡＭＦは、決定されたＤＮＮに基づいて、第１のサブスクリプション情報及び第２のサブスクリプション情報を決定又は取得する。この場合、第１のサブスクリプション情報は、５Ｇシステムにおける端末デバイスのＤＮＮのサブスクリプション情報であるか、又は、端末デバイスがＤＮＮをサブスクライブしているかを示すインジケーション情報であってよい。第２のサブスクリプション情報は、ＤＮＮに対応する、且つ４Ｇシステムにおける端末デバイスに関するＡＰＮのサブスクリプション情報であり、ＡＰＮはＤＮＮに対応するか、又は、第２のサブスクリプション情報は、ＤＮＮ及びＳ‐ＮＳＳＡＩに対応する、且つ４Ｇシステムにおける端末デバイスのＡＰＮに関するサブスクリプション情報であり、ＡＰＮはＤＮＮ＋Ｓ‐ＮＳＳＡＩに対応するか、又は、第２のサブスクリプション情報は、端末デバイスがＡＰＮをサブスクライブしているかを示すインジケーション情報であってよい。具体的には、第１の可能性の場合、第１のサブスクリプション情報及び第２のサブスクリプション情報の両方が、セッションのデータネットワーク識別情報に対応するサブスクリプション情報を含むとＡＭＦが決定する方式は、以下の通りである。５ＧシステムにおけるＤＮＮのサブスクリプション情報を端末デバイスが有し、ＤＮＮに対応する、且つ４Ｇシステム内にあるＡＰＮのサブスクリプション情報を端末デバイスが有するか、又は、５ＧシステムにおけるＤＮＮ＋Ｓ‐ＮＳＳＡＩのサブスクリプション情報を端末デバイスが有し、ＤＮＮ＋Ｓ‐ＮＳＳＡＩに対応する、且つ４Ｇシステム内にあるＡＰＮのサブスクリプション情報を端末デバイスが有する。第２の可能性の場合、第１のサブスクリプション情報が、セッションのデータネットワーク識別情報に対応するサブスクリプション情報を含み、第２のサブスクリプション情報が、セッションのデータネットワーク識別情報に対応するサブスクリプション情報を含まないとＡＭＦが決定する方式は、以下の通りである。５ＧシステムにおけるＤＮＮのサブスクリプション情報を端末デバイスが有し、ＤＮＮに対応する、且つ４Ｇシステム内にあるＡＰＮのサブスクリプション情報を端末デバイスが有していないか、又は、５ＧシステムにおけるＤＮＮ＋Ｓ‐ＮＳＳＡＩのサブスクリプション情報を端末デバイスが有し、ＤＮＮ＋Ｓ‐ＮＳＳＡＩに対応する、且つ４Ｇシステム内にあるＡＰＮのサブスクリプション情報を端末デバイスが有していない。
【００９０】
第２の可能な実装例において、ＡＭＦは最初に、４Ｇシステムにおける端末デバイスの全てのサブスクリプション情報、及び５Ｇシステムにおける端末デバイスの全てのサブスクリプション情報を取得する。この場合、第１のサブスクリプション情報は、５Ｇシステムにおいて端末デバイスがサブスクライブしている各ＤＮＮに対応するサブスクリプション情報を含むか、又は、第１のサブスクリプション情報は、５Ｇシステムにおいて端末デバイスがサブスクライブしている各ＤＮＮ＋Ｓ‐ＮＳＳＡＩに対応するサブスクリプション情報を含む。第２のサブスクリプション情報は、４Ｇシステムにおいて端末デバイスがサブスクライブしている各ＡＰＮのサブスクリプション情報を含む。具体的には、第１の可能性の場合、第１のサブスクリプション情報及び第２のサブスクリプション情報の両方が、セッションのデータネットワーク識別情報に対応するサブスクリプション情報を含むとＡＭＦが決定する方式は、以下の通りである。第１のサブスクリプション情報はＤＮＮに対応するサブスクリプション情報を含み、第２のサブスクリプション情報はＤＮＮに対応するＡＰＮのサブスクリプション情報を含むとＡＭＦが決定する。あるいは、第１のサブスクリプション情報はＤＮＮ＋Ｓ‐ＮＳＳＡＩに対応するサブスクリプション情報を含み、第２のサブスクリプション情報はＤＮＮ＋Ｓ‐ＮＳＳＡＩに対応するＡＰＮのサブスクリプション情報を含むとＡＭＦが決定する。第２の可能性の場合、第１のサブスクリプション情報はセッションのデータネットワーク識別情報に対応するサブスクリプション情報を含み、第２のサブスクリプション情報はセッションのデータネットワーク識別情報に対応するサブスクリプション情報を含まないとＡＭＦが決定する方式は、以下の通りである。第１のサブスクリプション情報はＤＮＮに対応するサブスクリプション情報を含み、第２のサブスクリプション情報はＤＮＮに対応するＡＰＮのサブスクリプション情報を含まないとＡＭＦが決定する。あるいは、第１のサブスクリプション情報はＤＮＮ＋Ｓ‐ＮＳＳＡＩに対応するサブスクリプション情報を含み、第２のサブスクリプション情報はＤＮＮ＋Ｓ‐ＮＳＳＡＩに対応するＡＰＮのサブスクリプション情報を含まないとＡＭＦが決定する。
【００９１】
第３の可能な実装例において、ＡＭＦは最初に、５Ｇシステムにおける端末デバイスの全てのサブスクリプション情報を取得し、第１のサブスクリプション情報は、５Ｇシステムにおいて端末デバイスがサブスクライブしている各ＤＮＮに対応するサブスクリプション情報を含むか、又は、第１のサブスクリプション情報は、５Ｇシステムにおいて端末デバイスがサブスクライブしている各ＤＮＮ＋Ｓ‐ＮＳＳＡＩに対応するサブスクリプション情報を含む。ＡＭＦは、決定されたＤＮＮ、又は決定されたＤＮＮ＋Ｓ‐ＮＳＳＡに基づいて、第２のサブスクリプション情報を決定又は取得し、第２のサブスクリプション情報は、ＤＮＮ、又はＤＮＮ＋Ｓ‐ＮＳＳＡに対応する、且つ４Ｇシステムにおける端末デバイスに関するＡＰＮのサブスクリプション情報であるか、又は、端末デバイスがＡＰＮをサブスクライブしているかを示すインジケーション情報であってよい。具体的には、第１の可能性の場合、第１のサブスクリプション情報及び第２のサブスクリプション情報の両方が、セッションのデータネットワーク識別情報に対応するサブスクリプション情報を含むとＡＭＦが決定する方式は、以下の通りである。第１のサブスクリプション情報はＤＮＮに対応するサブスクリプション情報を含み、ＤＮＮに対応する、且つ４Ｇシステム内にあるＡＰＮのサブスクリプション情報を端末デバイスが有するか、又は、第１のサブスクリプション情報はＤＮＮ＋Ｓ‐ＮＳＳＡＩに対応するサブスクリプション情報を含み、ＤＮＮ＋Ｓ‐ＮＳＳＡＩに対応する、且つ４Ｇシステム内にあるＡＰＮのサブスクリプション情報を端末デバイスが有する。第２の可能性の場合、第１のサブスクリプション情報はセッションのデータネットワーク識別情報に対応するサブスクリプション情報を含み、第２のサブスクリプション情報はセッションのデータネットワーク識別情報に対応するサブスクリプション情報を含まないとＡＭＦが決定する方式は、以下の通りである。第１のサブスクリプション情報はＤＮＮに対応するサブスクリプション情報を含み、ＤＮＮに対応する、且つ４Ｇシステム内にあるＡＰＮのサブスクリプション情報を端末デバイスが有していないか、又は、第１のサブスクリプション情報はＤＮＮ＋Ｓ‐ＮＳＳＡＩに対応するサブスクリプション情報を含み、ＤＮＮ＋Ｓ‐ＮＳＳＡＩに対応する、且つ４Ｇシステム内にあるＡＰＮのサブスクリプション情報を端末デバイスが有していない。
【００９２】
第１のサブスクリプション情報に含まれる全てのＤＮＮに対応するサブスクリプション情報は、第２のサブスクリプション情報におけるＡＰＮのサブスクリプション情報と１対１の対応関係にあるのではなく、一部のＤＮＮのみのサブスクリプション情報が、４ＧシステムにおけるＡＰＮのサブスクリプション情報と１対１の対応関係にあることを理解されたい。同様に、第１のサブスクリプション情報に含まれる全てのＤＮＮ＋Ｓ‐ＮＳＳＡＩに対応するサブスクリプション情報は、第２のサブスクリプション情報におけるＡＰＮのサブスクリプション情報と１対１の対応関係にあるのではなく、一部のＤＮＮ＋Ｓ‐ＮＳＳＡＩのみのサブスクリプション情報が、４ＧシステムにおけるＡＰＮのサブスクリプション情報と１対１の対応関係にある。
【００９３】
第４の可能な実装例において、端末デバイスが第１の通信システム及び第２の通信システムをサポートする場合、ＡＭＦがＤＮＮを決定した後、ＡＭＦは、同じ場所に配置されたユーザデータ管理ネットワーク要素に第７のメッセージを送信し、第７のメッセージは、ＤＮＮに対応するＡＰＮに対応するサブスクリプション情報が、ＤＮＮに対応するサブスクリプション情報内に存在するかを問い合わせるために用いられる。ＡＭＦは、同じ場所に配置されたユーザデータ管理ネットワーク要素により送信される問い合わせ結果を受信する。ＤＮＮに対応するＡＰＮに対応するサブスクリプション情報が存在すると決定したことを問い合わせ結果が示す場合、ＡＭＦは、同じ場所に配置されたセッション管理機能ネットワーク要素を選択する。ＤＮＮに対応するＡＰＮに対応するサブスクリプション情報が、ＤＮＮに対応するサブスクリプション情報内に存在しないことを問い合わせ結果が示す場合、ＡＭＦは、５Ｇシステムにおけるセッション管理機能ネットワーク要素を選択する。あるいは、端末デバイスが第１の通信システム及び第２の通信システムをサポートする場合、ＡＭＦがＤＮＮ＋Ｓ‐ＮＳＳＡＩを決定した後、ＡＭＦは、同じ場所に配置されたユーザデータ管理ネットワーク要素に第７のメッセージを送信し、第７のメッセージは、ＤＮＮ＋Ｓ‐ＮＳＳＡＩに対応する、ＡＰＮのサブスクリプション情報が、ＤＮＮ＋Ｓ‐ＮＳＳＡＩに対応するに対応するサブスクリプション情報内に存在するかを問い合わせるために用いられる。ＡＭＦは、同じ場所に配置されたユーザデータ管理ネットワーク要素により送信される問い合わせ結果を受信する。ＤＮＮ＋Ｓ‐ＮＳＳＡＩに対応するＡＰＮに対応するサブスクリプション情報が存在すると決定したことを問い合わせ結果が示す場合、ＡＭＦは、同じ場所に配置されたセッション管理機能ネットワーク要素を選択する。ＤＮＮ＋Ｓ‐ＮＳＳＡＩに対応するＡＰＮに対応するサブスクリプション情報が、ＤＮＮ＋Ｓ‐ＮＳＳＡＩに対応するサブスクリプション情報内に存在しないことを問い合わせ結果が示す場合、ＡＭＦは、５Ｇシステムにおけるセッション管理機能ネットワーク要素を選択する。
【００９４】
第５の可能な実装例において、端末デバイスが第１の通信システム及び第２の通信システムをサポートする場合、ＡＭＦは、同じ場所に配置されたユーザデータ管理ネットワーク要素に第８のメッセージを送信し、第８のメッセージは、ＤＮＮとＡＰＮとの間のマッピング関係を取得するために用いられ、ＡＭＦは、同じ場所に配置されたユーザデータ管理ネットワーク要素により送信されるマッピング関係を受信し、マッピング関係を記憶する。例えば、ＡＭＦは、端末デバイスにより送信される第１のメッセージを受信する前に、同じ場所に配置されたユーザデータ管理ネットワーク要素に第８のメッセージを送信してよく、又は、ＡＭＦは、端末デバイスにより送信される第１のメッセージを受信した後、同じ場所に配置されたユーザデータ管理ネットワーク要素に第８のメッセージを送信してよい。ＤＮＮを決定した後、ＡＭＦは、ＤＮＮに基づいてマッピング関係を問い合わせる。ＤＮＮがＡＰＮに対応することをマッピング関係が示す場合、ＡＭＦは、同じ場所に配置されたセッション管理機能ネットワーク要素を選択する。ＤＮＮがＡＰＮに対応しないことをマッピング関係が示す場合、ＡＭＦは、５Ｇシステムにおけるセッション管理機能ネットワーク要素を選択する。同様に、上述した設計は、ＤＮＮ＋Ｓ‐ＮＳＳＡＩがＡＰＮ及びＳ‐ＮＳＳＡＩに対応する場合にも適用可能である。詳細はここで説明されない。
【００９５】
例えば、端末デバイスが、ＡＰＮ１、ＡＰＮ２、及びＡＰＮ３を含む４Ｇシステムにおける３つのＡＰＮをサブスクライブし、ＤＮＮ１、ＤＮＮ２、ＤＮＮ３、及びＤＮＮ４を含む５Ｇシステムにおける４つのＤＮＮをサブスクライブする。ＡＰＮ１はＤＮＮ２に対応し、ＡＰＮ３はＤＮＮ３に対応する。このように、マッピング関係は、ＡＰＮ１とＤＮＮ２との間のマッピング関係、及びＡＰＮ３とＤＮＮ３との間のマッピング関係を含む。ＡＭＦがＤＮＮ２を決定する場合、ＡＭＦは、ＤＮＮ２に基づいてマッピング関係を問い合わせ、ＤＮＮ２に対応するＡＰＮはＡＰＮ１であると決定し、ＡＭＦは、同じ場所に配置されたセッション管理機能ネットワーク要素を選択する。ＡＭＦがＤＮＮ１を決定する場合、ＡＭＦは、ＤＮＮ１に基づいてマッピング関係を問い合わせ、ＤＮＮ１がＡＰＮに対応しないと決定し、ＡＭＦは、５Ｇシステムにおけるセッション管理機能ネットワーク要素を選択する。
【００９６】
従って、上述した可能な実装例において、ＡＭＦは、同じ場所に配置されたセッション管理機能ネットワーク要素を、相互運用性能及び相互運用要件の両方を有する端末デバイスのためのターゲットセッション管理機能ネットワーク要素として選択してよい。ＡＭＦは、相互運用性能を有するが相互運用要件は有していない（すなわち、端末デバイスは４Ｇネットワークのサービスを用いる必要がないか、又は４Ｇネットワークのサービスをサブスクライブしていない）端末デバイスのためのターゲットセッション管理ネットワーク要素として、５Ｇシステムにおけるセッション管理機能ネットワーク要素を選択してよい。このように、セッション要件を満たすことができるので、同じ場所に配置されたセッション管理機能ネットワーク要素の負荷が減少させることができる。
【００９７】
加えて、第１の通信システムにおける第１のネットワーク要素はさらに、端末デバイスの性能、第１のサブスクリプション情報、及び第２のサブスクリプション情報に基づいて、第２のメッセージを決定し、ターゲットセッション管理機能ネットワーク要素に第２のメッセージを送信してよい。その結果、ターゲットセッション管理機能ネットワーク要素が、第２のメッセージに基づいて、ポリシ制御ネットワーク要素及び課金システムを決定する。第２のメッセージは、ターゲットセッション管理機能ネットワーク要素に、第１の通信システム内にある、同じ場所に配置されたポリシ制御ネットワーク要素及び同じ場所に配置された課金システム、又は、ポリシ制御ネットワーク要素及び課金システムを選択するように命令する、命令情報を含む。
【００９８】
シナリオ１及びシナリオ２は個別に、以下に具体的に説明される。
【００９９】
シナリオ１：第１の通信システムは４Ｇシステムであり、第２の通信システムは５Ｇシステムであり、第１の通信システムにおける第１のネットワーク要素はＭＭＥである。
【０１００】
端末デバイスが第１の通信システム及び第２の通信システムをサポートする場合、第１のサブスクリプション情報は、セッションのデータネットワーク識別情報に対応するサブスクリプション情報を含み、第２のサブスクリプション情報は、セッションのデータネットワーク識別情報に対応するサブスクリプション情報を含まず、ＭＭＥは同じ場所に配置されたセッション管理機能ネットワーク要素を選択し、ＭＭＥは同じ場所に配置されたセッション管理機能ネットワーク要素に第２のメッセージを送信する。その結果、同じ場所に配置されたセッション管理機能ネットワーク要素は、第２のメッセージに基づいて、ポリシ制御ネットワーク要素及び課金システムが４Ｇシステム内にあるポリシ制御ネットワーク要素及び課金システムであると決定する。第２のメッセージは、４Ｇシステム内にあるポリシ制御ネットワーク要素及び課金システムを選択するように、同じ場所に配置されたセッション管理機能ネットワーク要素に命令する命令情報を含む。従って、ＭＭＥは、第２のメッセージを用いて、同じ場所に配置されたセッション管理機能ネットワーク要素に、相互運用性能は有するが相互運用要件は有していない端末デバイス（言い換えれば、端末デバイスは５Ｇネットワークのサービスを用いる必要がないか、又は５Ｇネットワークのサービスをサブスクライブしない）のために、４Ｇシステム内にあるポリシ制御ネットワーク要素及び課金システムを選択するように命令してよい。その結果、同じ場所に配置されたポリシ制御ネットワーク要素の負荷、及び同じ場所に配置された課金システムの負荷が減少し得る。
【０１０１】
例えば、可能なネットワーキングにおいて、全てのＰＧＷ−ＣはＳＭＦ＋ＰＧＷ‐Ｃにアップグレードされるが、ポリシ制御ネットワーク要素及び課金システムネットワーク要素はアップグレードされない。言い換えれば、４Ｇにおけるポリシ制御ネットワーク要素はＰＣＲＦであってよく、４Ｇにおける課金システムネットワーク要素はＯＣＳ及びＯＦＣであってよい。この場合、ＭＭＥがＳＭＦ＋ＰＧＷ‐Ｃを選択しても、現在ＵＥが相互運用要件を有していないこと、言い換えれば、ＵＥが５ＧシステムにアクセスしないことをＳＭＦ＋ＰＧＷ‐Ｃは認識していない。従って、ＭＭＥは第２のメッセージをＳＭＦ＋ＰＧＷ‐Ｃに送信してよく、第２のメッセージは、４Ｇ内にあるポリシ制御ネットワーク要素及び課金システムを選択し、それらにアクセスするように、ＳＭＦ＋ＰＧＷ‐Ｃに命令する命令情報を含む。
【０１０２】
通常、ＭＭＥが４Ｇにおけるセッション管理機能ネットワーク要素を選択する場合、４Ｇにおけるセッション管理機能ネットワーク要素は４Ｇ内にあるポリシ制御ネットワーク要素及び課金システムを選択し、ＭＭＥが同じ場所に配置されたセッション管理機能ネットワーク要素を選択する場合、同じ場所に配置されたセッション管理機能ネットワーク要素は同じ場所に配置されたポリシ制御ネットワーク要素及び同じ場所に配置された課金システムを選択するということを理解されたい。しかしながら、本願のこの実施形態において提供される方法によると、ＭＭＥは、４Ｇシステム内にあるポリシ制御ネットワーク要素及び課金システムを選択するように、同じ場所に配置されたセッション管理機能ネットワーク要素に命令してよい。その結果、同じ場所に配置されたポリシ制御ネットワーク要素の負荷及び同じ場所に配置された課金システムの負荷が減少し得る。
【０１０３】
シナリオ２：第１の通信システムは５Ｇシステムであり、第２の通信システムは４Ｇシステムであり、第１の通信システムにおける第１のネットワーク要素はＡＭＦである。
【０１０４】
端末デバイスが第１の通信システム及び第２の通信システムをサポートする場合、第１のサブスクリプション情報は、セッションのデータネットワーク識別情報に対応するサブスクリプション情報を含み、第２のサブスクリプション情報は、セッションのデータネットワーク識別情報に対応するサブスクリプション情報を含まず、ＡＭＦは同じ場所に配置されたセッション管理機能ネットワーク要素を選択し、ＡＭＦは同じ場所に配置されたセッション管理機能ネットワーク要素に第２のメッセージを送信する。その結果、同じ場所に配置されたセッション管理機能ネットワーク要素は、第２のメッセージに基づいて、ポリシ制御ネットワーク要素及び課金システムが５Ｇシステム内にあるポリシ制御ネットワーク要素及び課金システムであると決定する。第２のメッセージは、５Ｇシステム内にあるポリシ制御ネットワーク要素及び課金システムを選択するように、同じ場所に配置されたセッション管理機能ネットワーク要素に命令する命令情報を含む。従って、ＡＭＦは、第２のメッセージを用いて、同じ場所に配置されたセッション管理機能ネットワーク要素に、相互運用性能は有するが相互運用要件は有していない端末デバイス（言い換えれば、端末デバイスは４Ｇネットワークのサービスを用いる必要がないか、又は４Ｇネットワークのサービスをサブスクライブしない）のために、５Ｇシステム内にあるポリシ制御ネットワーク要素及び課金システムを選択するように命令してよい。その結果、同じ場所に配置されたポリシ制御ネットワーク要素の負荷、及び同じ場所に配置された課金システムの負荷が減少し得る。
【０１０５】
例えば、可能なネットワーキングにおいて、純粋なＳＭＦデバイスの展開は、開始されていない。言い換えれば、全てのＳＭＦ＋ＰＧＷ‐ＣはＰＧＷ‐Ｃのアップグレードにより取得されるが、ポリシ制御ネットワーク要素及び課金システムに関するネットワーク要素はアップグレードされない。従って、ＡＭＦはＳＭＦ＋ＰＧＷ‐Ｃのみを選択できる。ＡＭＦは第２のメッセージをＳＭＦ＋ＰＧＷ‐Ｃに送信してよく、第２のメッセージは、５Ｇ内にあるポリシ制御ネットワーク要素及び課金システム、例えば、ＰＣＦを選択し、それらにアクセスするように、ＳＭＦ＋ＰＧＷ‐Ｃに命令する命令情報を含む。
【０１０６】
通常、ＡＭＦが５Ｇにおけるセッション管理機能ネットワーク要素を選択する場合、５Ｇにおけるセッション管理機能ネットワーク要素は５Ｇ内にあるポリシ制御ネットワーク要素及び課金システムを選択し、ＡＭＦが同じ場所に配置されたセッション管理機能ネットワーク要素を選択する場合、同じ場所に配置されたセッション管理機能ネットワーク要素は同じ場所に配置されたポリシ制御ネットワーク要素及び同じ場所に配置された課金システムを選択するということを理解されたい。しかしながら、本願のこの実施形態において提供される方法によると、ＡＭＦは、５Ｇシステム内にあるポリシ制御ネットワーク要素及び課金システムを選択するように、同じ場所に配置されたセッション管理機能ネットワーク要素に命令してよい。その結果、同じ場所に配置されたポリシ制御ネットワーク要素の負荷及び同じ場所に配置された課金システムの負荷が減少し得る。
【０１０７】
本願のこの実施形態におけるネットワーク要素選択処理は具体的に、添付の図面を参照して以下に説明される。
【０１０８】
図３は、ＵＥが４Ｇネットワークにおいてセッション接続を確立する具体的なプロセス１を示す。
【０１０９】
段階３０１：ＭＭＥがＵＥ性能情報を取得する。可能な設計において、アタッチ（Ａｔｔａｃｈ）手順又はトラックエリア更新（Ｔｒａｃｋ  ａｒｅａ  ｕｐｄａｔｅ、ＴＡＵ）手順において、ＵＥは、ＮＡＳメッセージをＭＭＥに送信する。ＮＡＳメッセージは、ＵＥ性能情報（ＵＥ性能）を搬送し、ＵＥ性能は、ＵＥが４Ｇシステムをサポートするかについての情報、ＵＥが５Ｇシステムをサポートするかについての情報などを含み、又は、ＵＥ性能情報は、ＵＥが４Ｇシステム及び５Ｇシステムの両方をサポートするかを示すインジケーション情報を含む。ＭＭＥは、ＵＥ性能情報を記憶する。
【０１１０】
段階３０２：ＵＥがＭＭＥにセッション要求メッセージを送信し、セッション要求メッセージはアタッチ要求（Ａｔｔａｃｈ  ｒｅｑｕｅｓｔ）に含まれてもよい。セッション要求メッセージはＮＡＳメッセージであってよい。
【０１１１】
段階３０３：ＭＭＥがＡＰＮを決定する。可能な設計において、セッション要求メッセージはＡＰＮを搬送する。別の可能な設計において、セッション要求メッセージはＡＰＮを搬送せず、ＭＭＥはＡＰＮ、例えば、デフォルトＡＰＮを決定してよい。
【０１１２】
段階３０４：ＭＭＥが、ＵＥ性能情報、第１のサブスクリプション情報、及び第２のサブスクリプション情報に基づいて、ターゲットセッション管理機能ネットワーク要素を決定する。端末デバイスが４Ｇシステム及び５Ｇシステムをサポートし、第１のサブスクリプション情報及び第２のサブスクリプション情報の両方が、ＡＰＮに対応するサブスクリプション情報を含む場合、ＭＭＥは段階３０５ａを実行する。端末デバイスが４Ｇシステム及び５Ｇシステムをサポートし、第１のサブスクリプション情報がＡＰＮに対応するサブスクリプション情報を含み、第２のサブスクリプション情報が、ＡＰＮに対応するサブスクリプション情報を含まない場合、ＭＭＥは段階３０５ｂを実行する。ＵＥ性能情報、第１のサブスクリプション情報、及び第２のサブスクリプション情報に基づいて、ターゲットセッション管理機能ネットワーク要素をＭＭＥが決定する具体的なプロセスの場合、シナリオ１における可能な実装例を参照してよいことを理解されたい。繰り返される内容は、改めて説明されない。
【０１１３】
可能な設計において、段階３０２前に、例えば、アタッチ手順又はＴＡＵ手順において、ＭＭＥは第３のメッセージをＨＳＳ＋ＵＤＭに送信し、第３のメッセージは、第１のサブスクリプション情報及び第２のサブスクリプション情報を取得するために用いられる。ＭＭＥは、第１のサブスクリプション情報及び第２のサブスクリプション情報を記憶する。別の可能な設計において、段階３０３の後、ＭＭＥは第４のメッセージをＨＳＳ＋ＵＤＭに送信し、第４のメッセージは、第１のサブスクリプション情報及び第２のサブスクリプション情報を問い合わせるために用いられる。
【０１１４】
段階３０５ａ：ＭＭＥが、ターゲットセッション管理ネットワーク要素としてＳＭＦ＋ＰＧＷ‐Ｃを選択し、ＳＭＦ＋ＰＧＷ‐Ｃにセッション要求メッセージを送信する。
【０１１５】
段階３０５ｂ：ＭＭＥが、ターゲットセッション管理ネットワーク要素としてＰＧＷ−Ｃを選択し、ＰＧＷ−Ｃにセッション要求メッセージを送信する。
【０１１６】
後続セッション確立手順は主に、無線リソースの構成、ユーザプレーントンネルの確立などを含む。詳細については、従来技術を参照されたい。
【０１１７】
図４は、ＵＥが４Ｇネットワークにおいてセッション接続を確立する具体的なプロセス２を示す。全てのＰＧＷ−ＣはＳＭＦ＋ＰＧＷ‐Ｃにアップグレードされるが、ポリシ制御ネットワーク要素及び課金システムに関するネットワーク要素はアップグレードされない。４Ｇにおけるポリシ制御ネットワーク要素はＰＣＲＦであり、４Ｇにおける課金システムネットワーク要素はＯＣＳ及びＯＦＣＳであり、５Ｇ内にあるポリシ制御ネットワーク要素及び課金システムはＰＣＦである。
【０１１８】
段階４０１から段階４０３は、段階３０１から段階３０３と同一である。
【０１１９】
段階４０４：ＭＭＥが、ＵＥ性能情報、第１のサブスクリプション情報、及び第２のサブスクリプション情報に基づいて、ターゲットポリシ制御ネットワーク要素及びターゲット課金システムを決定する。端末デバイスが４Ｇシステム及び５Ｇシステムをサポートし、第１のサブスクリプション情報及び第２のサブスクリプション情報の両方が、ＡＰＮに対応するサブスクリプション情報を含む場合、ＭＭＥは段階４０５ａを実行する。端末デバイスが４Ｇシステム及び５Ｇシステムをサポートし、第１のサブスクリプション情報がＡＰＮに対応するサブスクリプション情報を含み、第２のサブスクリプション情報が、ＡＰＮに対応するサブスクリプション情報を含まない場合、ＭＭＥは段階４０５ｂを実行する。
【０１２０】
段階４０５ａ：ＭＭＥがＳＭＦ＋ＰＧＷ‐Ｃにセッション要求メッセージを送信する。セッション要求メッセージは命令情報を搬送しなくてよく、又は、第１の命令情報を搬送してよい。第１の命令情報は、同じ場所に配置されたポリシ制御ネットワーク要素及び同じ場所に配置された課金システムを選択するようにＳＭＦ＋ＰＧＷ‐Ｃに命令する。従って、ターゲットポリシ制御ネットワーク要素及びターゲット課金システムは、同じ場所に配置されたポリシ制御ネットワーク要素及び同じ場所に配置された課金システムである。
【０１２１】
段階４０５ｂ：ＭＭＥがＳＭＦ＋ＰＧＷ‐Ｃにセッション要求メッセージを送信し、セッション要求メッセージは、第２の命令情報を搬送し、第２の命令情報は、４Ｇ内にあるポリシ制御ネットワーク要素及び課金システムを選択するようにＳＭＦ＋ＰＧＷ‐Ｃに命令する。従って、ターゲットポリシ制御ネットワーク要素及びターゲット課金システムは、４Ｇ内にあるポリシ制御ネットワーク要素及び課金システムである。
【０１２２】
図５は、ＵＥが５Ｇネットワークにおいてセッション接続を確立する具体的なプロセス１を示す。ＤＮＮがＡＰＮに対応する例のみが、説明のために以下で用いられる。ＤＮＮ＋Ｓ‐ＮＳＳＡＩがＡＰＮに対応する処理手順は同様である。詳細はここで改めて説明されない。
【０１２３】
段階５０１：ＡＭＦがＵＥ性能情報を取得する。可能な設計において、登録（Ｒｅｇｉｓｔｒａｔｉｏｎ）手順又は再登録（Ｒｅ‐ｒｅｇｉｓｔｒａｔｉｏｎ）手順において、ＵＥはＡＭＦにＮＡＳメッセージを送信する。ＮＡＳメッセージは、ＵＥ性能情報（ＵＥ  ｃａｐａｂｉｌｉｔｉｅｓ）を搬送し、ＵＥ性能情報は、ＵＥが４Ｇシステムをサポートするかについての情報、ＵＥが５Ｇシステムをサポートするかについての情報などを含み、又は、ＵＥ性能情報は、ＵＥが４Ｇシステム及び５Ｇシステムの両方をサポートするかを示すインジケーション情報を含む。ＡＭＦは、ＵＥ性能情報を記憶する。
【０１２４】
段階５０２：ＵＥがＡＭＦにセッション要求メッセージを送信し、セッション要求メッセージはＮＡＳメッセージである。
【０１２５】
段階５０３：ＡＭＦがＤＮＮを決定する。可能な設計において、セッション要求メッセージはＤＮＮを搬送する。別の可能な設計において、セッション要求メッセージはＤＮＮを搬送せず、ＡＭＦはＤＮＮ、例えば、デフォルトＤＮＮを決定してよい。
【０１２６】
段階５０４：ＡＭＦが、ＵＥ性能情報、第１のサブスクリプション情報、第２のサブスクリプション情報に基づいて、ターゲットセッション管理機能ネットワーク要素を決定する。端末デバイスが４Ｇシステム及び５Ｇシステムをサポートし、第１のサブスクリプション情報及び第２のサブスクリプション情報の両方が、ＤＮＮに対応するサブスクリプション情報を含む場合、ＡＭＦは段階５０５ａを実行する。端末デバイスが４Ｇシステム及び５Ｇシステムをサポートし、第１のサブスクリプション情報がＤＮＮに対応するサブスクリプション情報を含み、第２のサブスクリプション情報が、ＤＮＮに対応するサブスクリプション情報を含まない場合、ＡＭＦは段階５０５ｂを実行する。ＵＥ性能情報、第１のサブスクリプション情報、及び第２のサブスクリプション情報に基づいて、ターゲットセッション管理機能ネットワーク要素をＡＭＦが決定する具体的なプロセスの場合、シナリオ２における可能な実装例を参照してよいことを理解されたい。繰り返される内容は、改めて説明されない。
【０１２７】
可能な設計において、段階５０２前に、例えば、登録手順又は再登録手順において、ＡＭＦは第３のメッセージをＨＳＳ＋ＵＤＭに送信し、第３のメッセージは、第１のサブスクリプション情報及び第２のサブスクリプション情報を取得するために用いられる。ＡＭＦは、第１のサブスクリプション情報及び第２のサブスクリプション情報を記憶する。別の可能な設計において、段階５０３の後、ＡＭＦは第４のメッセージをＨＳＳ＋ＵＤＭに送信し、第４のメッセージは、第１のサブスクリプション情報及び第２のサブスクリプション情報を問い合わせるために用いられる。
【０１２８】
段階５０５ａ：ＡＭＦが、ターゲットセッション管理ネットワーク要素としてＳＭＦ＋ＰＧＷ‐Ｃを選択し、ＳＭＦ＋ＰＧＷ‐Ｃにセッション要求メッセージを送信する。
【０１２９】
段階５０５ｂ：ＡＭＦが、ターゲットセッション管理ネットワーク要素としてＳＭＦを選択し、ＳＭＦにセッション要求メッセージを送信する。
【０１３０】
後続セッション確立手順は主に、無線リソースの構成、ユーザプレーントンネルの確立などを含む。詳細については、従来技術を参照されたい。
【０１３１】
図６は、ＵＥが５Ｇネットワークにおいてセッション接続を確立する具体的なプロセス２を示す。純粋なＳＭＦデバイスの展開は、開始されていない。言い換えれば、全てのＳＭＦ＋ＰＧＷ‐ＣはＰＧＷ−Ｃのアップグレードにより取得されるが、ポリシ制御ネットワーク要素及び課金システムに関するネットワーク要素はアップグレードされない。例えば、４Ｇにおけるポリシ制御ネットワーク要素はＰＣＲＦであり、４Ｇにおける課金システムはＯＣＳ及びＯＦＣＳである。５Ｇには、独立したポリシ制御ネットワーク要素及び独立した課金システム、例えば、ＰＣＦがある。
【０１３２】
段階６０１から段階６０３は、段階５０１から段階５０３と同一である。
【０１３３】
段階６０４：ＡＭＦが、ＵＥ性能情報、第１のサブスクリプション情報、及び第２のサブスクリプション情報に基づいて、ターゲットポリシ制御ネットワーク要素及びターゲット課金システムを決定する。端末デバイスが４Ｇシステム及び５Ｇシステムをサポートし、第１のサブスクリプション情報及び第２のサブスクリプション情報の両方が、ＤＮＮに対応するサブスクリプション情報を含む場合、ＡＭＦは段階６０５ａを実行する。端末デバイスが４Ｇシステム及び５Ｇシステムをサポートし、第１のサブスクリプション情報がＤＮＮに対応するサブスクリプション情報を含み、第２のサブスクリプション情報が、ＤＮＮに対応するサブスクリプション情報を含まない場合、ＡＭＦは段階６０５ｂを実行する。
【０１３４】
段階６０５ａ：ＡＭＦがＳＭＦ＋ＰＧＷ‐Ｃにセッション要求メッセージを送信する。セッション要求メッセージは命令情報を搬送しなくてよく、又は、第１の命令情報を搬送してよい。第１の命令情報は、同じ場所に配置されたポリシ制御ネットワーク要素及び同じ場所に配置された課金システムを選択するようにＳＭＦ＋ＰＧＷ‐Ｃに命令する。従って、ターゲットポリシ制御ネットワーク要素及びターゲット課金システムは、同じ場所に配置されたポリシ制御ネットワーク要素及び同じ場所に配置された課金システムである。
【０１３５】
段階６０５ｂ：ＡＭＦがＳＭＦ＋ＰＧＷ‐Ｃにセッション要求メッセージを送信し、セッション要求メッセージは、第２の命令情報を搬送し、第２の命令情報は、５Ｇ内にあるポリシ制御ネットワーク要素及び課金システムを選択し、それらにアクセスするようにＳＭＦ＋ＰＧＷ‐Ｃに命令する。従って、ターゲットポリシ制御ネットワーク要素及びターゲット課金システムは、５Ｇ内にあるポリシ制御ネットワーク要素及び課金システムである。
【０１３６】
上述した実施形態に基づいて、本願の実施形態はネットワーク要素選択装置を提供する。図７に示されるように、装置７００は、端末デバイスにより送信される第１のメッセージを受信するように構成されている受信ユニット７０１であって、第１のメッセージは、セッションの確立を要求するために用いられる、受信ユニット７０１と、第１のメッセージに応答して、第１のサブスクリプション情報及び第２のサブスクリプション情報に基づいて、ターゲットセッション管理機能ネットワーク要素を決定するように構成されている処理ユニット７０２であって、第１のサブスクリプション情報は、第１の通信システムにおける端末デバイスのサブスクリプション情報を含み、第２のサブスクリプション情報は、第２の通信システムにおける端末デバイスのサブスクリプション情報を含む、処理ユニット７０２とを含む。
【０１３７】
可能な設計において、処理ユニット７０２は、端末デバイスの性能、第１のサブスクリプション情報、及び第２のサブスクリプション情報に基づいて、ターゲットセッション管理機能ネットワーク要素を決定するように具体的に構成されている。
【０１３８】
可能な設計において、第１の通信システムは４Ｇシステムであり、第２の通信システムは５Ｇシステムであり、装置はＭＭＥであり、処理ユニット７０２は、端末デバイスが、第１の通信システム及び第２の通信システムをサポートし、第１のサブスクリプション情報及び第２のサブスクリプション情報の両方が、セッションのデータネットワーク識別情報に対応するサブスクリプション情報を含む場合、ターゲットセッション管理ネットワーク要素として、同じ場所に配置されたセッション管理機能ネットワーク要素を選択するように具体的に構成されており、５Ｇシステムのセッション管理性能及び４Ｇシステムのセッション管理性能を有するネットワーク要素が、同じ場所に配置されたセッション管理機能ネットワーク要素である。
【０１３９】
可能な設計において、第１の通信システムは４Ｇシステムであり、第２の通信システムは５Ｇシステムであり、装置はＭＭＥであり、処理ユニット７０２は、端末デバイスが、第１の通信システム及び第２の通信システムをサポートし、第１のサブスクリプション情報が、セッションのデータネットワーク識別情報に対応するサブスクリプション情報を含み、第２のサブスクリプション情報が、セッションのデータネットワーク識別情報に対応するサブスクリプション情報を含まない場合、ターゲットセッション管理ネットワーク要素として、４Ｇシステムにおけるセッション管理機能ネットワーク要素を選択するように具体的に構成されている。
【０１４０】
可能な設計において、第１の通信システムは５Ｇシステムであり、第２の通信システムは４Ｇシステムであり、装置はＡＭＦであり、処理ユニット７０２は、端末デバイスが、第１の通信システム及び第２の通信システムをサポートし、第１のサブスクリプション情報及び第２のサブスクリプション情報の両方が、セッションのデータネットワーク識別情報に対応するサブスクリプション情報を含む場合、ターゲットセッション管理ネットワーク要素として、同じ場所に配置されたセッション管理機能ネットワーク要素を選択するように具体的に構成されており、５Ｇシステムのセッション管理性能及び４Ｇシステムのセッション管理性能を有するネットワーク要素が、同じ場所に配置されたセッション管理機能ネットワーク要素である。
【０１４１】
可能な設計において、第１の通信システムは５Ｇシステムであり、第２の通信システムは４Ｇシステムであり、装置はＡＭＦであり、処理ユニット７０２は、端末デバイスが、第１の通信システム及び第２の通信システムをサポートし、第１のサブスクリプション情報が、セッションのデータネットワーク識別情報に対応するサブスクリプション情報を含み、第２のサブスクリプション情報が、セッションのデータネットワーク識別情報に対応するサブスクリプション情報を含まない場合、ターゲットセッション管理ネットワーク要素として、５Ｇシステムにおけるセッション管理機能ネットワーク要素を選択するように具体的に構成されている。
【０１４２】
可能な設計において、当該装置は、ターゲットセッション管理機能ネットワーク要素に第２のメッセージを送信し、その結果、ターゲットセッション管理機能ネットワーク要素が、第２のメッセージに基づいて、ポリシ制御ネットワーク要素及び課金システムを決定するように構成されている、送信ユニット７０３をさらに含む。
【０１４３】
図７におけるネットワーク要素選択装置に含まれる機能モジュールの特定の実装、及び対応する利点については、図２に示される実施形態の特定の説明を参照してよいことが理解できる。詳細はここで説明されない。
【０１４４】
ユニットの分割は論理機能の分割に過ぎず、実際の実装の間、全て又はいくつかのユニットは、１つの物理エンティティに統合されてよく、又は物理的に分離されてよいことを理解されたい。加えて、これらのユニットは全て、処理要素により呼び出されることによってソフトウェアを用いて実装されてよく、又は全てハードウェアの形で実装されてよい。あるいは、いくつかのユニットは、処理要素により呼び出されることによってソフトウェアを用いて実装され、いくつかのユニットはハードウェアの形で実装される。実装の間に、上述した方法又は上述したユニットにおける段階は、処理要素においてハードウェア集積論理回路を用いて、又はソフトウェアの形の命令を用いて実装され得る。
【０１４５】
例えば、上述したユニットは、上述した方法を実装するための１又は複数の集積回路、例えば、１又は複数の用途特定集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）又は１又は複数のマイクロプロセッサ（ｄｉｇｉｔａｌ  ｓｉｇｎａｌ  ｐｒｏｃｅｓｓｏｒ、ＤＳＰ）又は１又は複数のフィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）として構成されてよい。他の例では、上述したユニットのうち１つが、処理要素によりプログラムを呼び出すことにより実装される場合、処理要素は、中央演算処理装置（Ｃｅｎｔｒａｌ  Ｐｒｏｃｅｓｓｉｎｇ  Ｕｎｉｔ、ＣＰＵ）又はプログラムを呼び出すことができる別のプロセッサのような汎用プロセッサであってよい。他の例では、これらのユニットは一体に統合されてよく、システムオンチップ（ｓｙｓｔｅｍ  ｏｎ  ａ  ｃｈｉｐ、ＳｏＣ）の形で実装される。
【０１４６】
別の任意の変形において、本願の実施形態はネットワーク要素選択装置を提供する。本願の実施形態はネットワーク要素選択装置を提供する。例えば、ネットワーク要素選択装置はチップであってよく、装置は、プロセッサ及びインタフェースを含み、インタフェースは入出力インタフェースであってよい。プロセッサは、処理ユニット７０２の機能を実装し、インタフェースは、受信ユニット７０１の機能及び送信ユニット７０３の機能を実装する。装置はさらにメモリを含んでよい。メモリは、プロセッサ上で動作することができるプログラムを記憶するように構成されている。プロセッサがプログラムを実行する場合、図２に示される実施形態の方法が実行される。
【０１４７】
上述した実施形態に基づいて、本願の実施形態はさらに、第１の通信システムにおける第１のネットワーク要素８００を提供する。図８に示されるように、ネットワーク要素８００は、送受信機８０１、プロセッサ８０２、及びメモリ８０３を含む。メモリ８０３は、コンピュータプログラムを記憶するように構成されている。プロセッサ８０２は、メモリ８０３に記憶されているコンピュータプログラムを呼び出し、送受信機８０１を用いて、図２に示される方法を実行する。プロセッサはＣＰＵ、ネットワークプロセッサ（ｎｅｔｗｏｒｋ  ｐｒｏｃｅｓｓｏｒ、ＮＰ）、ハードウェアチップ、又はこれらの任意の組み合わせであってよい。メモリは、揮発性メモリ（ｖｏｌａｔｉｌｅ  ｍｅｍｏｒｙ）、例えば、ランダムアクセスメモリ（ｒａｎｄｏｍ  ａｃｃｅｓｓ  ｍｅｍｏｒｙ、ＲＡＭ）を含んでよい。あるいは、メモリは、リードオンリメモリ（ｒｅａｄ‐ｏｎｌｙ  ｍｅｍｏｒｙ、ＲＯＭ）、フラッシュメモリ（ｆｌａｓｈ  ｍｅｍｏｒｙ）、ハードディスクドライブ（ｈａｒｄ  ｄｉｓｋ  ｄｒｉｖｅ、ＨＤＤ）、又はソリッドステートドライブ（ｓｏｌｉｄ‐ｓｔａｔｅ  ｄｒｉｖｅ、ＳＳＤ）のような不揮発性メモリ（ｎｏｎ‐ｖｏｌａｔｉｌｅ  ｍｅｍｏｒｙ）を含んでよい。あるいは、メモリは、上述したタイプのメモリの組み合わせを含んでよい。
【０１４８】
図７に示される実施形態における装置は、図８に示されるネットワーク要素８００を用いて実装され得ることが理解できる。具体的には、処理ユニット７０２はプロセッサ８０２により実装され得て、受信ユニット７０１及び送信ユニット７０３は送受信機８０１により実装され得る。ネットワーク要素８００の構造は、本願の実施形態において制限を構成するものではない。
【０１４９】
図９は、ＵＥが４Ｇネットワークにおいてセッション接続を確立する具体的なプロセス１を示す。
【０１５０】
段階９０１：ＭＭＥがＵＥ性能情報を取得する。可能な設計において、アタッチ（Ａｔｔａｃｈ）手順又はトラックエリア更新（Ｔｒａｃｋ  ａｒｅａ  ｕｐｄａｔｅ、ＴＡＵ）手順において、ＵＥは、ＮＡＳメッセージをＭＭＥに送信する。ＮＡＳメッセージは、ＵＥ性能情報（ＵＥ  ｃａｐａｂｉｌｉｔｉｅｓ）を搬送し、ＵＥ性能情報は、ＵＥが４Ｇシステムをサポートするかについての情報、ＵＥが５Ｇシステムをサポートするかについての情報などを含み、又は、ＵＥ性能情報は、ＵＥが４Ｇシステム及び５Ｇシステムの両方をサポートするかを示すインジケーション情報を含む。ＭＭＥは、ＵＥ性能情報を記憶する。
【０１５１】
段階９０２：ＵＥがＭＭＥにセッション要求メッセージを送信し、セッション要求メッセージはアタッチ要求（Ａｔｔａｃｈ  ｒｅｑｕｅｓｔ）に含まれてもよい。セッション要求メッセージはＮＡＳメッセージであってよい。
【０１５２】
段階９０３：ＭＭＥがＡＰＮを決定する。可能な設計において、段階９０２におけるセッション要求メッセージはＡＰＮを搬送する。別の可能な設計において、セッション要求メッセージはＡＰＮを搬送せず、ＭＭＥはＡＰＮ、例えば、デフォルトＡＰＮを決定してよい。ＡＰＮ決定方式は上記に説明されている。詳細は改めて説明されない。
【０１５３】
段階９０４：ＭＭＥが、ＵＥ性能情報（または端末の性能と称される）、及び第３のサブスクリプション情報に基づいて、ターゲットセッション管理機能ネットワーク要素を決定する。具体的には、端末の性能が、ＵＥが４Ｇシステム及び５Ｇシステムをサポートすることを示し、端末の第３のサブスクリプションが、セッションに対応するデータネットワーク識別情報ＡＰＮが５Ｇシステム（または５ＧＣと称される）との相互運用をサポートすることを示す場合、ＭＭＥは、ターゲットセッション管理ネットワーク要素として同じ場所に配置されたセッション管理機能ネットワーク要素を選択し、段階９０５ａを実行する。任意選択的に、セッションに対応するデータネットワーク識別情報ＡＰＮが５Ｇシステム（または５ＧＣと称される）との相互運用をサポートすることを端末の第３のサブスクリプションが表示することはさらに、端末の第３のサブスクリプション情報は、セッションに対応するデータネットワーク識別情報ＡＰＮが、ＤＮＮ及びネットワークスライス識別Ｓ‐ＮＳＳＡＩとの相互運用をサポートすることを示すインジケーション情報であることを含む。同じ場所に配置されたセッション管理機能ネットワーク要素は、４Ｇシステムのセッション管理性能、及び５Ｇシステムのセッション管理性能の両方を有するネットワーク要素、例えば、ＳＭＦ＋ＰＧＷ‐Ｃであってよい。端末の性能が、ＵＥが４Ｇシステム及び５Ｇシステムをサポートすることを示し、第３のサブスクリプション情報が、セッションのデータネットワーク識別情報ＡＰＮが５Ｇシステムとの相互運用をサポートしないことを示す場合、ＭＭＥは、ターゲットセッション管理ネットワーク要素として同じ場所に配置されたセッション管理機能ネットワーク要素を選択せず、段階９０５ｂを実行する。ＭＭＥが、同じ場所に配置されたセッション管理機能ネットワーク要素を、ターゲットセッション管理ネットワーク要素として選択しないことは、ＭＭＥが、特に相互運用に用いられないセッション管理機能ネットワーク要素、例えば、ＰＧＷ−Ｃ、又は純粋な４ＧシステムにおけるＰＧＷを、ターゲットセッション管理ネットワーク要素として選択する段階を含む。従って、ＭＭＥは、同じ場所に配置されたセッション管理機能ネットワーク要素を、相互運用性能及び相互運用要件の両方を有する端末デバイスのためのターゲットセッション管理機能ネットワーク要素として選択してよい。
【０１５４】
加えて、ＭＭＥはさらに、端末デバイスの性能、及び第３のサブスクリプション情報に基づいて、第２のメッセージを決定し、ターゲットセッション管理機能ネットワーク要素に第２のメッセージを送信してよい。その結果、ターゲットセッション管理機能ネットワーク要素が、第２のメッセージに基づいて、ポリシ制御ネットワーク要素及び課金システムを決定する。第２のメッセージは、ターゲットセッション管理機能ネットワーク要素に、第１の通信システム内にある、同じ場所に配置されたポリシ制御ネットワーク要素及び同じ場所に配置された課金システム、又は、ポリシ制御ネットワーク要素及び課金システムを選択するように命令する、命令情報を含む。具体的なプロセスについては、図４に対応する実施形態を参照されたい。
【０１５５】
段階９０５ａ：ＭＭＥが、ターゲットセッション管理ネットワーク要素としてＳＭＦ＋ＰＧＷ‐Ｃを選択し、ＳＭＦ＋ＰＧＷ‐Ｃにセッション要求メッセージを送信する。
【０１５６】
段階９０５ｂ：ＭＭＥが、ターゲットセッション管理ネットワーク要素としてＰＧＷ−Ｃを選択し、ＰＧＷ−Ｃにセッション要求メッセージを送信する。
【０１５７】
後続セッション確立手順は主に、無線リソースの構成、ユーザプレーントンネルの確立などを含む。詳細については、従来技術を参照されたい。
【０１５８】
従って、ＭＭＥは、相互運用性能を有するが相互運用要件は有していない（すなわち、端末デバイスは５Ｇとの相互運用をサポートしていない）端末デバイスのために、ターゲットセッション管理ネットワーク要素として、４Ｇシステムにおけるセッション管理機能ネットワーク要素を選択してよい。このように、セッション要件を満たすことができるので、同じ場所に配置されたセッション管理機能ネットワーク要素の負荷が減少させることができる。任意選択的に、ＭＭＥは、同じ場所に配置されたセッション管理ネットワーク要素に、相互運用性能は有するが相互運用要件は有していない端末デバイス（すなわち、端末デバイスは５Ｇとの相互運用をサポートしない）のために、４Ｇシステム内にあるポリシ制御ネットワーク要素及び課金システムを選択するように命令してよい。その結果、同じ場所に配置されたポリシ制御ネットワーク要素の負荷、及び同じ場所に配置された課金システムの負荷が減少し得る。
【０１５９】
さらに、図９に対応する実施形態の説明において明確に説明されていない内容については、上述した実施形態の説明を参照してよいことが理解できる。
【０１６０】
加えて、図９におけるＭＭＥの論理構造は、図７に示されてよく、図９において説明された段階は、図７内にある処理ユニット、受信ユニット、及び送信ユニットを用いて実装されてよい。図７に示される実施形態における装置は、図８に示されるネットワーク要素８００を用いて実装され得ることが理解できる。具体的には、処理ユニット７０２はプロセッサ８０２により実装され得て、受信ユニット７０１及び送信ユニット７０３は送受信機８０１により実装され得る。ネットワーク要素８００の構造は、本願の実施形態において制限を構成するものではない。
【０１６１】
図１０は、ＵＥが５Ｇネットワークにおいてセッション接続を確立する具体的なプロセス１を示す。
【０１６２】
段階１００１：ＡＭＦがＵＥ性能情報を取得する。可能な設計において、登録（Ｒｅｇｉｓｔｒａｔｉｏｎ）手順又は再登録（Ｒｅ‐ｒｅｇｉｓｔｒａｔｉｏｎ）手順において、ＵＥはＡＭＦにＮＡＳメッセージを送信する。ＮＡＳメッセージは、ＵＥ性能情報（ＵＥ  ｃａｐａｂｉｌｉｔｉｅｓ）を搬送し、ＵＥ性能情報は、ＵＥが４Ｇシステムをサポートするかについての情報、ＵＥが５Ｇシステムをサポートするかについての情報などを含み、又は、ＵＥ性能情報は、ＵＥが４Ｇシステム及び５Ｇシステムの両方をサポートするかを示すインジケーション情報を含む。ＡＭＦは、ＵＥ性能情報を記憶する。
【０１６３】
段階１００２：ＵＥがＡＭＦにセッション要求メッセージを送信し、セッション要求メッセージはＮＡＳメッセージである。
【０１６４】
段階１００３：ＡＭＦがＤＮＮを決定する。可能な設計において、段階１００２におけるセッション要求メッセージはＤＮＮを搬送する。別の可能な設計において、セッション要求メッセージはＤＮＮを搬送せず、ＡＭＦはＤＮＮ、例えば、デフォルトＤＮＮを決定してよい。ＤＮＮ決定方式は上記に説明されている。詳細は改めて説明されない。
【０１６５】
段階１００４：ＡＭＦが、ＵＥ性能情報（または端末の性能と称される）、及び第３のサブスクリプション情報に基づいて、ターゲットセッション管理機能ネットワーク要素を決定する。具体的には、端末の性能が、ＵＥが４Ｇシステム及び５Ｇシステムをサポートすることを示し、端末の第３のサブスクリプションが、セッションに対応するデータネットワーク識別情報ＤＮＮが４Ｇシステム（または、ＥＰＳ又はＥＰＣと称される）との相互運用をサポートすることを示す場合、ＡＭＦは、ターゲットセッション管理ネットワーク要素として同じ場所に配置されたセッション管理機能ネットワーク要素を選択し、段階１００５ａを実行する。任意選択的に、セッションに対応するデータネットワーク識別情報ＤＮＮが、４Ｇシステム（または、ＥＰＳ又はＥＰＣと称される）との相互運用をサポートするかを端末の第３のサブスクリプションが表示することはさらに、端末の第３のサブスクリプション情報は、データネットワーク識別情報ＤＮＮ及びネットワークスライス識別Ｓ‐ＮＳＳＡＩが、セッションサポート相互運用に対応することを示すインジケーション情報であることを含む。同じ場所に配置されたセッション管理機能ネットワーク要素は、４Ｇシステムのセッション管理性能、及び５Ｇシステムのセッション管理性能の両方を有するネットワーク要素、例えば、ＳＭＦ＋ＰＧＷ‐Ｃであってよい。端末の性能が、ＵＥが４Ｇシステム及び５Ｇシステムをサポートすることを示し、第３のサブスクリプション情報が、セッションのデータネットワーク識別情報ＤＮＮが４Ｇシステムとの相互運用をサポートしないことを示す場合、ＡＭＦは、ターゲットセッション管理ネットワーク要素として同じ場所に配置されたセッション管理機能ネットワーク要素を選択せず、段階１００５ｂを実行する。ＡＭＦが、同じ場所に配置されたセッション管理機能ネットワーク要素を、ターゲットセッション管理ネットワーク要素として選択しないことは、ＡＭＦが、特に相互運用に用いられないセッション管理機能ネットワーク要素、例えば、純粋な５ＧシステムにおけるＳＭＦを、ターゲットセッション管理ネットワーク要素として選択する段階を含む。従って、ＡＭＦは、同じ場所に配置されたセッション管理機能ネットワーク要素を、相互運用性能及び相互運用要件の両方を有する端末デバイスのためのターゲットセッション管理機能ネットワーク要素として選択してよい。
【０１６６】
加えて、ＡＭＦはさらに、端末デバイスの性能、及び第３のサブスクリプション情報に基づいて、第２のメッセージを決定し、ターゲットセッション管理機能ネットワーク要素に第２のメッセージを送信してよい。その結果、ターゲットセッション管理機能ネットワーク要素が、第２のメッセージに基づいて、ポリシ制御ネットワーク要素及び課金システムを決定する。第２のメッセージは、ターゲットセッション管理機能ネットワーク要素に、第１の通信システム内にある、同じ場所に配置されたポリシ制御ネットワーク要素及び同じ場所に配置された課金システム、又は、ポリシ制御ネットワーク要素及び課金システムを選択するように命令する、命令情報を含む。具体的なプロセスについては、図６に対応する実施形態を参照されたい。
【０１６７】
段階１００５ａ：ＡＭＦが、ターゲットセッション管理ネットワーク要素としてＳＭＦ＋ＰＧＷ‐Ｃを選択し、ＳＭＦ＋ＰＧＷ‐Ｃにセッション要求メッセージを送信する。
【０１６８】
段階１００５ｂ：ＡＭＦが、ターゲットセッション管理ネットワーク要素としてＳＭＦを選択し、ＳＭＦにセッション要求メッセージを送信する。
【０１６９】
後続セッション確立手順は主に、無線リソースの構成、ユーザプレーントンネルの確立などを含む。詳細については、従来技術を参照されたい。
【０１７０】
従って、ＡＭＦは、相互運用性能を有するが相互運用要件は有していない（すなわち、端末デバイスは４Ｇとの相互運用をサポートしていない）端末デバイスのために、ターゲットセッション管理ネットワーク要素として、５Ｇシステムにおけるセッション管理機能ネットワーク要素を選択してよい。このように、セッション要件を満たすことができるので、同じ場所に配置されたセッション管理機能ネットワーク要素の負荷が減少させることができる。任意選択的に、ＡＭＦは、同じ場所に配置されたセッション管理ネットワーク要素に、相互運用性能は有するが相互運用要件は有していない端末デバイス（すなわち、端末デバイスは４Ｇとの相互運用をサポートしない）のために、５Ｇシステム内にあるポリシ制御ネットワーク要素及び課金システムを選択するように命令してよい。その結果、同じ場所に配置されたポリシ制御ネットワーク要素の負荷、及び同じ場所に配置された課金システムの負荷が減少し得る。
【０１７１】
さらに、図１０に対応する実施形態の説明において明確に説明されていない内容については、上述した実施形態の説明を参照してよいことが理解できる。
【０１７２】
加えて、図１０におけるＡＭＦの論理構造は、図７に示されてよく、図１０において説明された段階は、図７内にある処理ユニット、受信ユニット、及び送信ユニットを用いて実装されてよい。図７に示される実施形態における装置は、図８に示されるネットワーク要素８００を用いて実装され得ることが理解できる。具体的には、処理ユニット７０２はプロセッサ８０２により実装され得て、受信ユニット７０１及び送信ユニット７０３は送受信機８０１により実装され得る。ネットワーク要素８００の構造は、本願の実施形態において制限を構成するものではない。
【０１７３】
本願の一実施形態がさらに、コンピュータ可読記憶媒体を提供する。コンピュータ可読記憶媒体はコンピュータプログラムを記憶する。コンピュータプログラムがコンピュータ上で動作する場合、コンピュータは、図２に示される実施形態の方法を実行することが可能になり、プロセッサは、図９に示されるＭＭＥに対応する段階を実行することが可能になり、プロセッサは、図１０に示されるＡＭＦに対応する段階を実行することも可能になる。
【０１７４】
要するに、本願のこの実施形態において提供される方法において、第１の通信システムにおける第１のネットワーク要素が、端末デバイスにより送信される第１のメッセージを受信し、第１のメッセージは、セッションの確立を要求するために用いられる。第１のメッセージに応答して、第１の通信システムにおける第１のネットワーク要素は、第１のサブスクリプション情報及び第２のサブスクリプション情報に基づいて、ターゲットセッション管理機能ネットワーク要素を決定する。従来技術では、端末デバイスが４Ｇシステム及び５Ｇシステムをサポートするかにのみ基づいてネットワーク要素を選択することに比較すると、４Ｇシステム及び５Ｇシステムをサポートし、相互運用要件を有していない端末デバイスが、ネットワーク要素を適切に選択することができ、同じ場所に配置されたセッション管理機能ネットワーク要素の負荷が減少し得る。
【０１７５】
第１の通信システムが４Ｇシステムであり、第２の通信システムが５Ｇシステムであり、第１の通信システムにおける第１のネットワーク要素がＭＭＥである場合、ＭＭＥは、同じ場所に配置されたセッション管理機能ネットワーク要素を、相互運用性能及び相互運用要件の両方を有する端末デバイスのためのターゲットセッション管理機能ネットワーク要素として選択してよい。ＭＭＥは、相互運用性能を有するが相互運用要件は有していない（すなわち、端末デバイスは５Ｇネットワークのサービスを用いる必要がないか、又は５Ｇネットワークのサービスをサブスクライブしていない）端末デバイスのためのターゲットセッション管理ネットワーク要素として、４Ｇシステムにおけるセッション管理機能ネットワーク要素を選択してよい。このように、セッション要件を満たすことができるので、同じ場所に配置されたセッション管理機能ネットワーク要素の負荷が減少させることができる。
【０１７６】
第１の通信システムが５Ｇシステムであり、第２の通信システムが４Ｇシステムであり、第１の通信システムにおける第１のネットワーク要素がＡＭＦである場合、ＡＭＦは、同じ場所に配置されたセッション管理機能ネットワーク要素を、相互運用性能及び相互運用要件の両方を有する端末デバイスのためのターゲットセッション管理機能ネットワーク要素として選択してよい。ＡＭＦは、相互運用性能を有するが相互運用要件は有していない（すなわち、端末デバイスは４Ｇネットワークのサービスを用いる必要がないか、又は４Ｇネットワークのサービスをサブスクライブしていない）端末デバイスのためのターゲットセッション管理ネットワーク要素として、５Ｇシステムにおけるセッション管理機能ネットワーク要素を選択してよい。このように、セッション要件を満たすことができるので、同じ場所に配置されたセッション管理機能ネットワーク要素の負荷が減少させることができる。
【０１７７】
第１の通信システムは４Ｇシステムであり、第２の通信システムは５Ｇシステムであり、第１の通信システムにおける第１のネットワーク要素はＭＭＥである場合、ＭＭＥは、第２のメッセージを用いて、同じ場所に配置されたセッション管理機能ネットワーク要素に、相互運用性能は有するが相互運用要件は有していない端末デバイス（すなわち、端末デバイスは５Ｇネットワークのサービスを用いる必要がないか、又は５Ｇネットワークのサービスをサブスクライブしない）のために、４Ｇシステム内にあるポリシ制御ネットワーク要素及び課金システムを選択するように命令してよい。その結果、同じ場所に配置されたポリシ制御ネットワーク要素の負荷、及び同じ場所に配置された課金システムの負荷が減少し得る。第１の通信システムは５Ｇシステムであり、第２の通信システムは４Ｇシステムであり、第１の通信システムにおける第１のネットワーク要素はＡＭＦである場合、ＡＭＦは、第２のメッセージを用いて、同じ場所に配置されたセッション管理機能ネットワーク要素に、相互運用性能は有するが相互運用要件は有していない端末デバイス（すなわち、端末デバイスは４Ｇネットワークのサービスを用いる必要がないか、又は４Ｇネットワークのサービスをサブスクライブしない）のために、５Ｇシステム内にあるポリシ制御ネットワーク要素及び課金システムを選択するように命令してよい。その結果、同じ場所に配置されたポリシ制御ネットワーク要素の負荷、及び同じ場所に配置された課金システムの負荷が減少し得る。
【０１７８】
当業者であれば、本願の実施形態は、方法、システム、又はコンピュータプログラム製品として提供され得ることを理解するはずである。従って、本願の実施形態は、ハードウェアのみの実施形態、ソフトウェアのみの実施形態、又はソフトウェアとハードウェアとの組み合わせを有する実施形態の形式を用いてよい。さらに、本願の実施形態は、コンピュータ利用可能プログラムコードを含む１又は複数のコンピュータ利用可能記憶媒体（磁気ディスクメモリ、ＣＤ‐ＲＯＭ、光メモリなどを含むがそれらに限定されるものではない）上で実装されるコンピュータプログラム製品の形式を用いてよい。
【０１７９】
本願の実施形態は、本願の実施形態に係る方法、デバイス（システム）及びコンピュータプログラム製品のフローチャート及び／又はブロック図を参照して説明されている。フローチャート及び／又はブロック図の各プロセス及び／又は各ブロックと、フローチャート及び／又はブロック図の処理及び／又はブロックの組み合わせとを実装するために、コンピュータプログラム命令が使用されてよいことを理解されたい。これらコンピュータプログラム命令は、汎用コンピュータ、専用コンピュータ、組み込みプロセッサ、又は、別のプログラマブルデータ処理デバイスのプロセッサに提供されて、機械を生成してよく、その結果、別のプログラマブルデータ処理デバイスのコンピュータ又はプロセッサにより実行される命令は、フローチャートの１又は複数の処理、及び／又は、ブロック図内の１又は複数のブロックにおける特定の機能を実装するために装置を生成する。
【０１８０】
これらのコンピュータプログラム命令は、コンピュータ又は別のプログラマブルデータ処理デバイスに、特定の方式で機能するように命令できるコンピュータ可読メモリに記憶され得る。その結果、コンピュータ可読メモリに記憶される命令は、命令装置を含むアーティファクトを生成する。命令装置は、フローチャートの１又は複数のプロセス、及び／又は、ブロック図の１又は複数のブロックにおける特定の機能を実装する。
【０１８１】
これらのコンピュータプログラム命令は、コンピュータ又は別のプログラマブルデータ処理デバイス上にロードされてよく、その結果、一連の動作及び段階が、コンピュータ又は別のプログラマブルデバイス上で実行され、これによって、コンピュータにより実装される処理が生成される。従って、コンピュータ又は別のプログラマブルデバイス上で実行される命令は、フローチャート内の１又は複数のプロセス及び／又はブロック図内の１又は複数のブロックにおける特定の機能を実装するための段階を提供する。
【０１８２】
当然、当業者であれば、本願の思想及び範囲から逸脱することなく、本願の実施形態に様々な修正及び変形を加えることができる。このように、本願は、以下の請求項及びそれらの同等な技術により定義される保護の範囲内にある場合に限り、これらの修正及び変形をカバーすることを意図している。
（項目１）
ネットワーク要素選択方法であって、
第１の通信システムにおける第１のネットワーク要素が、端末デバイスにより送信された第１のメッセージを受信する段階であって、上記第１のメッセージは、セッションの確立を要求するために用いられる、受信する段階と、
上記第１のメッセージに応答して、上記第１の通信システムにおける上記第１のネットワーク要素が、第１のサブスクリプション情報及び第２のサブスクリプション情報に基づいて、ターゲットセッション管理機能ネットワーク要素を決定する段階であって、上記第１のサブスクリプション情報は、上記第１の通信システムにおける上記端末デバイスのサブスクリプション情報を含み、上記第２のサブスクリプション情報は、第２の通信システムにおける上記端末デバイスのサブスクリプション情報を含む、決定する段階と、
を備える、方法。
（項目２）
上記第１の通信システムにおける上記第１のネットワーク要素が、第１のサブスクリプション情報及び第２のサブスクリプション情報に基づいてターゲットセッション管理機能ネットワーク要素を決定する上記段階は、
上記第１の通信システムにおける上記第１のネットワーク要素が、上記端末デバイスの性能、上記第１のサブスクリプション情報、及び上記第２のサブスクリプション情報に基づいて、上記ターゲットセッション管理機能ネットワーク要素を決定する段階を含む、項目１に記載の方法。
（項目３）
上記第１の通信システムは４Ｇシステムであり、上記第２の通信システムは５Ｇシステムであり、上記第１の通信システムにおける上記第１のネットワーク要素はモビリティ管理エンティティＭＭＥである、方法であって、
上記第１の通信システムにおける上記第１のネットワーク要素が、上記端末デバイスの性能、上記第１のサブスクリプション情報、及び上記第２のサブスクリプション情報に基づいて、上記ターゲットセッション管理機能ネットワーク要素を決定する上記段階は、
上記端末デバイスが上記第１の通信システム及び上記第２の通信システムをサポートし、上記第１のサブスクリプション情報及び上記第２のサブスクリプション情報の両方が、上記セッションのデータネットワーク識別情報に対応するサブスクリプション情報を含む場合、上記ＭＭＥが、上記ターゲットセッション管理ネットワーク要素として、同じ場所に配置されたセッション管理機能ネットワーク要素を選択する段階であって、上記５Ｇシステムのセッション管理性能及び上記４Ｇシステムのセッション管理性能を有するネットワーク要素は、上記同じ場所に配置されたセッション管理機能ネットワーク要素である、選択する段階を含む、項目２に記載の方法。
（項目４）
上記第１の通信システムは４Ｇシステムであり、上記第２の通信システムは５Ｇシステムであり、上記第１の通信システムにおける上記第１のネットワーク要素はＭＭＥである方法であって、
上記第１の通信システムにおける上記第１のネットワーク要素が、上記端末デバイスの性能、上記第１のサブスクリプション情報、及び上記第２のサブスクリプション情報に基づいて、上記ターゲットセッション管理機能ネットワーク要素を決定する上記段階は、
上記端末デバイスが上記第１の通信システム及び上記第２の通信システムをサポートし、上記第１のサブスクリプション情報が、上記セッションのデータネットワーク識別情報に対応するサブスクリプション情報を含み、上記第２のサブスクリプション情報が、上記セッションの上記データネットワーク識別情報に対応する上記サブスクリプション情報を含まない場合、上記ＭＭＥが、上記ターゲットセッション管理ネットワーク要素として、上記４Ｇシステムにおけるセッション管理機能ネットワーク要素を選択する段階を含む、項目２に記載の方法。
（項目５）
上記第１の通信システムは５Ｇシステムであり、上記第２の通信システムは４Ｇシステムであり、上記第１の通信システムにおける上記第１のネットワーク要素はアクセス及びモビリティ管理機能ＡＭＦである方法であって、
上記第１の通信システムにおける上記第１のネットワーク要素が、上記端末デバイスの性能、上記第１のサブスクリプション情報、及び上記第２のサブスクリプション情報に基づいて、上記ターゲットセッション管理機能ネットワーク要素を決定する上記段階は、
上記端末デバイスが上記第１の通信システム及び上記第２の通信システムをサポートし、上記第１のサブスクリプション情報及び上記第２のサブスクリプション情報の両方が、上記セッションのデータネットワーク識別情報に対応するサブスクリプション情報を含む場合、上記ＡＭＦが、上記ターゲットセッション管理ネットワーク要素として、同じ場所に配置されたセッション管理機能ネットワーク要素を選択する段階であって、上記５Ｇシステムのセッション管理性能及び上記４Ｇシステムのセッション管理性能を有するネットワーク要素は、上記同じ場所に配置されたセッション管理機能ネットワーク要素である、選択する段階を含む、項目２に記載の方法。
（項目６）
上記第１の通信システムは５Ｇシステムであり、上記第２の通信システムは４Ｇシステムであり、上記第１の通信システムにおける上記第１のネットワーク要素はＡＭＦである方法であって、
上記第１の通信システムにおける上記第１のネットワーク要素が、上記端末デバイスの性能、上記第１のサブスクリプション情報、及び上記第２のサブスクリプション情報に基づいて、上記ターゲットセッション管理機能ネットワーク要素を決定する上記段階は、
上記端末デバイスが上記第１の通信システム及び上記第２の通信システムをサポートし、上記第１のサブスクリプション情報が、上記セッションのデータネットワーク識別情報に対応するサブスクリプション情報を含み、上記第２のサブスクリプション情報が、上記セッションの上記データネットワーク識別情報に対応する上記サブスクリプション情報を含まない場合、上記ＡＭＦが、上記ターゲットセッション管理ネットワーク要素として、上記５Ｇシステムにおけるセッション管理機能ネットワーク要素を選択する段階を含む、項目２に記載の方法。
（項目７）
上記第１の通信システムにおける上記第１のネットワーク要素が、上記ターゲットセッション管理機能ネットワーク要素に第２のメッセージを送信することで、上記ターゲットセッション管理機能ネットワーク要素が、上記第２のメッセージに基づいて、ポリシ制御ネットワーク要素及び課金システムを決定する、送信する段階
をさらに備える、項目１から６のいずれか一項に記載の方法。
（項目８）
ネットワーク要素選択方法であって、
第１の通信システムにおける第１のネットワーク要素が、端末デバイスにより送信される第１のメッセージを受信する段階であって、上記第１のメッセージは、セッションの確立を要求するために用いられる、受信する段階と、
上記第１のメッセージに応答して、上記第１の通信システムにおける上記第１のネットワーク要素が、上記端末デバイスの性能及び上記端末の第３のサブスクリプション情報に基づいて、ターゲットセッション管理機能ネットワーク要素を決定する段階とを備える、方法。
（項目９）
上記第１の通信システムにおける上記第１のネットワーク要素はアクセス及びモビリティ管理機能ネットワーク要素ＡＭＦであり、上記第１の通信システムにおける上記第１のネットワーク要素が、上記端末デバイスの性能及び上記端末の第３のサブスクリプション情報に基づいて、ターゲットセッション管理機能ネットワーク要素を決定する上記段階は、
上記端末デバイスが上記第１の通信システム及び第２の通信システムをサポートし、上記端末の上記第３のサブスクリプション情報が、上記セッションに対応するデータネットワーク識別情報ＤＮＮは４Ｇシステムとの相互運用をサポートすることを示す場合、上記ＡＭＦが、上記ターゲットセッション管理ネットワーク要素として、同じ場所に配置されたセッション管理機能ネットワーク要素を選択する段階であって、上記第１の通信システムは５Ｇシステムであり、上記第２の通信システムは４Ｇシステムである、選択する段階を備える、項目８に記載の方法。
（項目１０）
上記第１の通信システムにおける上記第１のネットワーク要素はアクセス及びモビリティ管理機能ネットワーク要素ＡＭＦであり、上記第１の通信システムにおける上記第１のネットワーク要素が、上記端末デバイスの性能及び上記端末の第３のサブスクリプション情報に基づいて、ターゲットセッション管理機能ネットワーク要素を決定する上記段階は、
上記端末デバイスが上記第１の通信システム及び第２の通信システムをサポートし、上記第３のサブスクリプション情報が、上記セッションのデータネットワーク識別情報ＤＮＮは４Ｇシステムとの相互運用をサポートしないことを示す場合、上記ＡＭＦが、上記ターゲットセッション管理ネットワーク要素として、同じ場所に配置されたセッション管理機能ネットワーク要素を選択する段階をスキップする段階であって、上記第１の通信システムは５Ｇシステムであり、上記第２の通信システムは４Ｇシステムである、スキップする段階を備える、項目８に記載の方法。
（項目１１）
上記ＡＭＦが、上記ターゲットセッション管理ネットワーク要素として、同じ場所に配置されたセッション管理機能ネットワーク要素を選択する段階をスキップする上記段階は、上記ＡＭＦが、上記ターゲットセッション管理ネットワーク要素として、上記５Ｇシステムにおけるセッション管理機能ネットワーク要素を選択する段階を含む、項目１０に記載の方法。
（項目１２）
上記第１の通信システムにおける上記第１のネットワーク要素はモビリティ管理機能ネットワーク要素ＭＭＥであり、上記第１の通信システムにおける上記第１のネットワーク要素が、上記端末デバイスの性能及び上記端末の第３のサブスクリプション情報に基づいて、ターゲットセッション管理機能ネットワーク要素を決定する上記段階は、
上記端末デバイスが上記第１の通信システム及び第２の通信システムをサポートし、上記端末の上記第３のサブスクリプション情報が、上記セッションに対応するデータネットワーク識別情報ＡＰＮは５Ｇシステムとの相互運用をサポートすることを示す場合、上記ＭＭＥが、上記ターゲットセッション管理ネットワーク要素として、同じ場所に配置されたセッション管理機能ネットワーク要素を選択する段階であって、上記第１の通信システムは４Ｇシステムであり、上記第２の通信システムは５Ｇシステムである、選択する段階を含む、項目８に記載の方法。
（項目１３）
上記第１の通信システムにおける上記第１のネットワーク要素はモビリティ管理機能ネットワーク要素ＭＭＥであり、上記第１の通信システムにおける上記第１のネットワーク要素が、上記端末デバイスの性能及び上記端末の第３のサブスクリプション情報に基づいて、ターゲットセッション管理機能ネットワーク要素を決定する上記段階は、
上記端末デバイスが上記第１の通信システム及び第２の通信システムをサポートし、上記第３のサブスクリプション情報が、上記セッションのデータネットワーク識別情報ＡＰＮは５Ｇシステムとの相互運用をサポートしないことを示す場合、上記ＭＭＥが、上記ターゲットセッション管理ネットワーク要素として、同じ場所に配置されたセッション管理機能ネットワーク要素を選択する段階をスキップする段階であって、上記第１の通信システムは４Ｇシステムであり、上記第２の通信システムは５Ｇシステムである、スキップする段階を含む、項目８に記載の方法。
（項目１４）
上記ＭＭＥが、上記ターゲットセッション管理ネットワーク要素として、同じ場所に配置されたセッション管理機能ネットワーク要素を選択する段階をスキップする上記段階は、上記ＭＭＥが、上記ターゲットセッション管理ネットワーク要素として、上記４Ｇシステムにおけるセッション管理機能ネットワーク要素を選択する段階を含む、項目１３に記載の方法。
（項目１５）
上記第１の通信システムにおける上記第１のネットワーク要素が、上記ターゲットセッション管理機能ネットワーク要素に第２のメッセージを送信することで、上記ターゲットセッション管理機能ネットワーク要素が、上記第２のメッセージに基づいてポリシ制御ネットワーク要素及び課金システムを決定する、送信する段階
をさらに備える、項目８から１４のいずれか一項に記載の方法。
（項目１６）
ネットワーク要素選択装置であって、
端末デバイスにより送信される第１のメッセージを受信するように構成されている受信ユニットであって、上記第１のメッセージは、セッションの確立を要求するために用いられる、受信ユニットと、
上記第１のメッセージに応答して、第１のサブスクリプション情報及び第２のサブスクリプション情報に基づいて、ターゲットセッション管理機能ネットワーク要素を決定するように構成されている処理ユニットであって、上記第１のサブスクリプション情報は、上記第１の通信システムにおける上記端末デバイスのサブスクリプション情報を含み、上記第２のサブスクリプション情報は、第２の通信システムにおける上記端末デバイスのサブスクリプション情報を含む、処理ユニットとを備える、装置。
（項目１７）
上記処理ユニットは、
上記端末デバイスの性能、上記第１のサブスクリプション情報、及び上記第２のサブスクリプション情報に基づいて、上記ターゲットセッション管理機能ネットワーク要素を決定するように具体的に構成されている、項目１６に記載の装置。（項目１８）  上記第１の通信システムは４Ｇシステムであり、上記第２の通信システムは５Ｇシステムであり、上記装置はＭＭＥである装置であって、
上記処理ユニットは、
上記端末デバイスが、上記第１の通信システム及び上記第２の通信システムをサポートし、上記第１のサブスクリプション情報及び上記第２のサブスクリプション情報の両方が、上記セッションのデータネットワーク識別情報に対応するサブスクリプション情報を含む場合、上記ターゲットセッション管理ネットワーク要素として、同じ場所に配置されたセッション管理機能ネットワーク要素を選択するように具体的に構成されており、上記５Ｇシステムのセッション管理性能及び上記４Ｇシステムのセッション管理性能を有するネットワーク要素が、上記同じ場所に配置されたセッション管理機能ネットワーク要素である、項目１７に記載の装置。
（項目１９）
上記第１の通信システムは４Ｇシステムであり、上記第２の通信システムは５Ｇシステムであり、上記装置はＭＭＥである装置であって、
上記処理ユニットは、
上記端末デバイスが、上記第１の通信システム及び上記第２の通信システムをサポートし、上記第１のサブスクリプション情報が、上記セッションのデータネットワーク識別情報に対応するサブスクリプション情報を含み、上記第２のサブスクリプション情報が、上記セッションの上記データネットワーク識別情報に対応する上記サブスクリプション情報を含まない場合、上記ターゲットセッション管理ネットワーク要素として、上記４Ｇシステムにおけるセッション管理機能ネットワーク要素を選択するように具体的に構成されている、項目１７に記載の装置。
（項目２０）
上記第１の通信システムは５Ｇシステムであり、上記第２の通信システムは４Ｇシステムであり、上記装置はＡＭＦである装置であって、
上記処理ユニットは、
上記端末デバイスが、上記第１の通信システム及び上記第２の通信システムをサポートし、上記第１のサブスクリプション情報及び上記第２のサブスクリプション情報の両方が、上記セッションのデータネットワーク識別情報に対応するサブスクリプション情報を含む場合、上記ターゲットセッション管理ネットワーク要素として、同じ場所に配置されたセッション管理機能ネットワーク要素を選択するように具体的に構成されており、上記５Ｇシステムのセッション管理性能及び上記４Ｇシステムのセッション管理性能を有するネットワーク要素が、上記同じ場所に配置されたセッション管理機能ネットワーク要素である、項目１７に記載の装置。
（項目２１）
上記第１の通信システムは５Ｇシステムであり、上記第２の通信システムは４Ｇシステムであり、上記装置はＡＭＦである装置であって、
上記処理ユニットは、
上記端末デバイスが、上記第１の通信システム及び上記第２の通信システムをサポートし、上記第１のサブスクリプション情報が、上記セッションのデータネットワーク識別情報に対応するサブスクリプション情報を含み、上記第２のサブスクリプション情報が、上記セッションの上記データネットワーク識別情報に対応する上記サブスクリプション情報を含まない場合、上記ターゲットセッション管理ネットワーク要素として、上記５Ｇシステムにおけるセッション管理機能ネットワーク要素を選択するように具体的に構成されている、項目１７に記載の装置。
（項目２２）
上記ターゲットセッション管理機能ネットワーク要素に第２のメッセージを送信することで、上記ターゲットセッション管理機能ネットワーク要素が、上記第２のメッセージに基づいて、ポリシ制御ネットワーク要素及び課金システムを決定するように構成されている、送信ユニット
をさらに備える、項目１６から２１のいずれか一項に記載の装置。
（項目２３）
ネットワーク要素選択装置であって、
端末デバイスにより送信される第１のメッセージを受信するように構成されている受信ユニットであって、上記第１のメッセージは、セッションの確立を要求するために用いられる、受信ユニットと、
上記第１のメッセージに応答して、上記端末デバイスの性能及び上記端末の第３のサブスクリプション情報に基づいて、ターゲットセッション管理機能ネットワーク要素を決定するように構成されている、処理ユニットとを備える、装置。
（項目２４）
上記処理ユニットは、上記端末デバイスが、上記第１の通信システム及び第２の通信システムをサポートし、上記端末の上記第３のサブスクリプション情報が、上記セッションに対応するデータネットワーク識別情報ＤＮＮは４Ｇシステムとの相互運用をサポートすることを示す場合、上記ターゲットセッション管理ネットワーク要素として、同じ場所に配置されたセッション管理機能ネットワーク要素を選択するように具体的に構成されており、上記第１の通信システムは５Ｇシステムであり、上記第２の通信システムは４Ｇシステムであり、上記ネットワーク要素選択装置は上記５Ｇシステムにおけるアクセス及びモビリティ管理機能ネットワーク要素ＡＭＦである、項目２３に記載の装置。
（項目２５）
上記処理ユニットは、上記端末デバイスが、上記第１の通信システム及び第２の通信システムをサポートし、上記第３のサブスクリプション情報が、上記セッションのデータネットワーク識別情報ＤＮＮは４Ｇシステムとの相互運用をサポートしないことを示す場合、上記ターゲットセッション管理ネットワーク要素として、同じ場所に配置されたセッション管理機能ネットワーク要素を選択する段階をスキップするように具体的に構成されており、上記第１の通信システムは５Ｇシステムであり、上記第２の通信システムは４Ｇシステムであり、上記ネットワーク要素選択装置は上記５Ｇシステムにおけるアクセス及びモビリティ管理機能ネットワーク要素ＡＭＦである、項目２３に記載の装置。
（項目２６）
上記ターゲットセッション管理ネットワーク要素として、同じ場所に配置されたセッション管理機能ネットワーク要素を選択する段階をスキップする上記段階は、上記ターゲットセッション管理ネットワーク要素として、上記５Ｇシステムにおけるセッション管理機能ネットワーク要素を選択する段階を含む、項目２５に記載の装置。
（項目２７）
上記処理ユニットは、上記端末デバイスが上記第１の通信システム及び第２の通信システムをサポートし、上記端末の上記第３のサブスクリプション情報が、上記セッションに対応するデータネットワーク識別情報ＡＰＮは５Ｇシステムとの相互運用をサポートすることを示す場合、上記ターゲットセッション管理ネットワーク要素として、同じ場所に配置されたセッション管理機能ネットワーク要素を選択するように具体的に構成されており、上記第１の通信システムは４Ｇシステムであり、上記第２の通信システムは５Ｇシステムであり、上記ネットワーク要素選択装置は、上記４Ｇシステムにおけるモビリティ管理機能ネットワーク要素ＭＭＥである、項目２３に記載の装置。
（項目２８）
上記処理ユニットは、上記端末デバイスが上記第１の通信システム及び第２の通信システムをサポートし、上記第３のサブスクリプション情報が、上記セッションのデータネットワーク識別情報ＡＰＮは５Ｇシステムとの相互運用をサポートしないことを示す場合、上記ターゲットセッション管理ネットワーク要素として、同じ場所に配置されたセッション管理機能ネットワーク要素を、選択する段階をスキップするように具体的に構成されており、上記第１の通信システムは４Ｇシステムであり、上記第２の通信システムは５Ｇシステムであり、上記ネットワーク要素選択装置は、上記４Ｇシステムにおけるモビリティ管理機能ネットワーク要素ＭＭＥである、項目２３に記載の装置。
（項目２９）
上記ターゲットセッション管理ネットワーク要素として、同じ場所に配置されたセッション管理機能ネットワーク要素を選択する段階をスキップする上記段階は、上記ターゲットセッション管理ネットワーク要素として、上記４Ｇシステムにおけるセッション管理機能ネットワーク要素を選択する段階を含む、項目２８に記載の装置。
（項目３０）
上記ターゲットセッション管理機能ネットワーク要素に第２のメッセージを送信することで、上記ターゲットセッション管理機能ネットワーク要素が、上記第２のメッセージに基づいて、ポリシ制御ネットワーク要素及び課金システムを決定するように構成されている、送信ユニット
をさらに備える、項目２３から２９のいずれか一項に記載の装置。
（項目３１）
コンピュータ記憶媒体であって、上記コンピュータ記憶媒体は、コンピュータソフトウェア命令を記憶し、上記コンピュータ命令が実行される場合、項目１から７のいずれか一項に記載の方法が実行される、コンピュータ記憶媒体。
（項目３２）
コンピュータ記憶媒体であって、上記コンピュータ記憶媒体は、コンピュータソフトウェア命令を記憶し、上記コンピュータ命令が実行される場合、項目８から１５のいずれか一項に記載の方法が実行される、コンピュータ記憶媒体。
（項目３３）
コンピュータプログラム製品であって、上記コンピュータプログラム製品は、命令を備え、上記命令が実行される場合、項目１から７のいずれか一項に記載の方法が実行される、コンピュータプログラム製品。
（項目３４）
コンピュータプログラム製品であって、上記コンピュータプログラム製品は、命令を備え、上記命令が実行される場合、項目８から１５のいずれか一項に記載の方法が実行される、コンピュータプログラム製品。
（項目３５）
鍵取得装置であって、上記装置は、プロセッサ及び送受信機を備え、上記プロセッサは、項目１から７のいずれか一項に記載の方法の対応する機能の実行において、上記装置をサポートするように構成されており、上記送受信機は、上記装置及び別のネットワークデバイスとの間の通信をサポートするように構成されている、鍵取得装置。
（項目３６）
鍵取得装置であって、上記装置は、プロセッサ及び送受信機を備え、上記プロセッサは、項目８から１５のいずれか一項に記載の方法の対応する機能の実行において、上記装置をサポートするように構成されており、上記送受信機は、上記装置及び別のネットワークデバイスとの間の通信をサポートするように構成されている、鍵取得装置。
（項目３７）
鍵取得装置であって、上記装置は、項目１から７のいずれか一項に記載の方法を実行するように構成されている、鍵取得装置。
（項目３８）
鍵取得装置であって、上記装置は、項目８から１５のいずれか一項に記載の方法を実行するように構成されている、鍵取得装置。
【図１】
0006825793.tif 000002
【図２】
0006825793.tif 000003
【図３】
0006825793.tif 000004
【図４】
0006825793.tif 000005
【図５】
0006825793.tif 000006
【図６】
0006825793.tif 000007
【図７】
0006825793.tif 000008
【図８】
0006825793.tif 000009
【図９】
0006825793.tif 000010
【図１０】
0006825793.tif 000011